(57)【要約】  本発明は無線通信システムにおいて無線通信を行なう方法、装置及びシステムを提供する。無線通信システムは、共通ベースバンドの低電力ノード及びマクロ基地局、並びにユーザ機器を備え、ユーザ機器は複数のコンポーネントキャリアを介して低電力ノード及びマクロ基地局と通信する。本発明に係る方法は、ユーザ機器により低電力ノード及びマクロ基地局に伝送されるダウンリンク信号を受信するステップと、前記低電力ノード及び前記マクロ基地局にアップリンク信号を伝送するステップと、を備え、前記方法は、前記アップリンク信号のうち全ての第１のアップリンク信号を受信ノードとしての前記低電力ノードに送信するステップをさらに備える。本発明に係る方法、装置及びシステムによれば、端末のアップリンク電力制御の効率が向上され、及び／又はマクロセルのアップリンク制御チャンネル伝送の負担が低下される。【選択図】図６
2016524404.tif 000002
【特許請求の範囲】
【請求項１】
互いに共通ベースバンドである第１のノード及び第２のノードを備える通信システムにおいて動作する通信装置であって、
前記第１のノードと前記第２のノードとのキャリアアグリゲーションを招き、前記第１のノード及び前記第２のノードが互いに共通ベースバンドであるように配置される回路を備え、前記キャリアアグリゲーションは、
前記第１のノードに関連するダウンリンクコンポーネントキャリアをダウンリンクプライマリコンポーネントキャリアとして設置することと、
前記第２のノードに関連するアップリンクコンポーネントキャリアを、アップリンクプライマリコンポーネントキャリアとして設置することと、を含む、
装置。
【請求項２】
前記キャリアアグリゲーションは、前記回路を用いて、前記第２のノードに関連する前記アップリンクプライマリコンポーネントキャリアを介してアップリンク制御シグナリング及びデータパケットの中の少なくとも１つを伝送することを含む請求項１に記載の装置。
【請求項３】
前記キャリアアグリゲーションは、前記アップリンクコンポーネントキャリアを上記のように設置する前に、前記ダウンリンクプライマリコンポーネントキャリアと前記アップリンクプライマリコンポーネントキャリアとの間の関連を解除する請求項１に記載の装置。
【請求項４】
前記第１のノードはマクロ基地局であり、前記第２のノードは低電力ノード（LPN）である請求項１に記載の装置。
【請求項５】
前記第１のノードは第１の周波数で動作し、前記第２のノードは前記第１の周波数よりも大きい第２の周波数で動作する請求項１に記載の装置。
【請求項６】
前記キャリアアグリゲーションは、前記装置と前記第１のノードとの間の伝送を制御するように、前記回路を用いて、前記第２のノードに関連する前記アップリンクプライマリコンポーネントキャリアを介して前記アップリンク制御シグナリングを伝送することを含む請求項１に記載の装置。
【請求項７】
前記キャリアアグリゲーションは、前記回路により、無線資源制御（RRC）シグナリング、メディアアクセス制御（MAC）シグナリング、又は物理層のシグナリングうちの１つを介して前記アップリンクプライマリコンポーネントキャリアに関する指定情報を受信することを含む請求項１に記載の装置。
【請求項８】
前記キャリアアグリゲーションは、前記第２のノードに用いる複数のコンポーネントキャリアを集合することと、前記回路により、無線資源制御（RRC）シグナリング、メディアアクセス制御（MAC）シグナリング、又は物理層のシグナリングうちの１つを介して前記アップリンクプライマリコンポーネントキャリアの指定に関する情報を受信することとを含む請求項１に記載の装置。
【請求項９】
前記キャリアアグリゲーションは、前記回路を用いて、前記第２のノードに関連する前記アップリンクプライマリコンポーネントキャリアを介して物理アップリンク制御チャンネル（PUCCH）及び物理アップリンク共有チャネル（PUSCH）信号の中の少なくとも１つを送信することを含む請求項１に記載の装置。
【請求項１０】
前記キャリアアグリゲーションは、前記回路を用いて、前記第２のノードに関連する前記アップリンクプライマリコンポーネントキャリアを介して全てのアップリンク制御シグナリングを送信することを含む請求項１に記載の装置。
【請求項１１】
無線通信方法であって、
プロセッサーを用いて、前記第１のノードと前記第２のノードとの間でキャリアアグリゲーションを行い、前記第１のノード及び前記第２のノードが互いに共通ベースバンドであり、前記キャリアアグリゲーションは、
前記第１のノードに関連するダウンリンクコンポーネントキャリアをダウンリンクプライマリコンポーネントキャリアとして設置することと、
前記第２のノードに関連するアップリンクコンポーネントキャリアを、アップリンクプライマリコンポーネントキャリアとして設置することとを含む、
無線通信方法。
【請求項１２】
前記キャリアアグリゲーションは、前記プロセッサーと前記第１のノードとの間の伝送を制御するように、前記第２のノードに関連する前記アップリンクプライマリコンポーネントキャリアを介してアップリンク制御シグナリングを送信することを含む請求項１１に記載の無線通信方法。
【請求項１３】
前記キャリアアグリゲーションは、無線資源制御（RRC）シグナリング、メディアアクセス制御（MAC）シグナリング、又は物理層のシグナリングうちの１つを介して前記アップリンクプライマリコンポーネントキャリアに関する指定情報を受信することを特徴とする請求項１１に記載の無線通信方法。
【請求項１４】
第１のコンポーネントキャリアにおいて第１の周波数で第１のノード及び第２のノードの多地点協調（CoMP）伝送用のアップリンク伝送電力を制御する無線通信装置であって、
第２のコンポーネントキャリアにおいて前記第１の周波数と異なる第２の周波数で前記第２のノードからのダウンリンク信号を受信し、
前記第２のコンポーネントキャリアにおいて前記第２の周波数で前記第２のノードからの前記ダウンリンク信号の受信に関連する第１のダウンリンク経路損失を確定し、
確定された第１のダウンリンク経路損失に基づき、前記第１のコンポーネントキャリアにおいて前記第１の周波数で前記CoMP伝送を行う前記第２のノードに関連する第２のダウンリンク経路損失を推定し、
前記CoMP伝送用のアップリンク信号伝送電力を補償するように、推定された第２のダウンリンク経路損失に基づき、前記第１のコンポーネントキャリアにおいて前記第１の周波数で前記装置から前記第２のノードへ出力する第１のアップリンク信号の第１のアップリンク経路損失を推定する
ように配置される回路を備える装置。
【請求項１５】
前記アップリンク信号は物理アップリンク制御チャンネル（PUCCH）信号、物理アップリンク共有チャネル（PUSCH）信号及びサウンディング参照信号（SRS）うちの１つであることを特徴とする請求項１４に記載の装置。
【請求項１６】
前記回路は、前記第１のアップリンク経路損失に基づき、前記第１のコンポーネントキャリアにおいて前記第１の周波数で前記第２のノードへのCoMP伝送用のアップリンク信号伝送電力を補償するように配置される請求項１４に記載の装置。
【請求項１７】
前記回路は、
前記第１のコンポーネントキャリアにおいて前記第１の周波数で前記第１のノードからのダウンリンク信号の受信に関連する第３のダウンリンク経路損失を確定すること、及び
前記第３のダウンリンク経路損失に基づいて、前記第１のコンポーネントキャリアにおいて前記第１の周波数で前記装置から前記第１のノードへ出力する第２のアップリンク信号の第２のアップリンク経路損失を確定することに基づき、
第１のコンポーネントキャリアにおいて前記第１の周波数で前記第１のノードへのCoMP伝送用のアップリンク信号伝送電力を補償するように配置される請求項１６に記載の装置。
【請求項１８】
前記第１のノード及び前記第２のノードの前記CoMP伝送がCoMPシナリオ４に基づく場合、リニアに検出される前記第１のノード及び前記第２のノードのセル固有参照信号の参照信号受信電力を前記第２のノードに関連する受信電力に加算することにより、前記第１のノードに関連する受信電力を取得する請求項１４に記載の装置。
【請求項１９】
前記第１のノード及び前記第２のノードの前記CoMP伝送がCoMPシナリオ３に基づく場合、前記第２のノードに関連する受信電力からリニアに検出される前記第１のノード及び前記第２のノードのセル固有参照信号の参照信号受信電力を減算することにより、前記第１のノードに関連する受信電力を取得する請求項１４に記載の装置。
【請求項２０】
第１のコンポーネントキャリアにおいて第１の周波数で第１のノード及び第２のノードの多地点協調（CoMP）伝送用のアップリンク伝送電力を制御する無線通信方法であって、
第２のコンポーネントキャリアにおいて前記第１の周波数と異なる第２の周波数で前記第２のノードからのダウンリンク信号を受信するステップと、
前記第２のコンポーネントキャリアにおいて前記第２の周波数で前記第２のノードからの前記ダウンリンク信号の受信に関連する第１のダウンリンク経路損失を確定するステップと、
確定された第１のダウンリンク経路損失に基づき、前記第１のコンポーネントキャリアにおいて前記第１の周波数で前記CoMP伝送を行なう前記第２のノードに関連する第２のダウンリンク経路損失を推定するステップと、
前記CoMP伝送のアップリンク信号伝送電力を補償するように、推定された第２のダウンリンク経路損失に基づき、前記第１のコンポーネントキャリアにおいて前記第１の周波数で前記装置から前記第２のノードへ出力する第１のアップリンク信号の第１のアップリンク経路損失を推定するステップと、を備える無線通信方法。
【発明の詳細な説明】
【技術分野】
【０００１】
本発明は無線通信の技術的分野に関し、具体的に無線通信システムにおいて無線通信を行う方法、無線通信装置及び無線通信システムに関する。
【背景技術】
【０００２】
この部分は本発明に関係する背景情報を提供するが、必ずしも従来技術ではない。
【０００３】
ロングタームエボリューション（LTE）Rel-１１の前のキャリアアグリゲーションは何れも単一基地局ノードのキャリアアグリゲーションである。１つの端末のアグレゲートされるキャリアは、１つのプライマリコンポーネントキャリア及び少なくとも１つのセカンダリコンポーネントキャリアからなる。周波数分割複信（FDD）モードでは、ダウンリンクプライマリコンポーネントキャリアとアップリンクプライマリコンポーネントキャリアとの関連は、システム情報ブロックタイプ２（SIB２）メッセージによって確定される。物理アップリンク制御チャンネル（PUCCH）信号は、アップリンクプライマリコンポーネントキャリアにおいて伝送される。通常、１つのみのアップリンクコンポーネントキャリアはアップリンクデータ伝送を行う。プライマリコンポーネントキャリアの変更はハンドオフ行為の発生を意味する。
【０００４】
基地局間で行われるキャリアアグリゲーションの場合、マクロ基地局及び低電力ノードが共通ベースバンドではないと、アップリンクキャリアアグリゲーションが発生するとともに、元のプライマリコンポーネントキャリア設定及び関連ルールは依然として有効である。マクロ基地局のコンポーネントキャリアは主にモビリティ制御に関連するデータ伝送に用いられるため、プライマリコンポーネントキャリアは、マクロ基地局のダウンリンクコンポーネントキャリアを含む。アップリンクプライマリコンポーネントキャリアは依然としてSIB２により関連付けられると、マクロ基地局及び低電力ノードが共通ベースバンド伝送を行なう場合、それはマクロセルのアップリンク制御チャンネルの負担を軽減するようにマクロ基地局のPUCCH分路に助力することができない。さらに、マクロ基地局及び低電力ノードは多地点協調（CoMP）伝送を行う場合、特にマクロ基地局がアップリンク受信ノードとなる場合、正確な電力制御を行うことができない。さらにまた、マクロ基地局を受信ノードとしてアップリンク電力制御を行う技術案もユーザ機器（UE）のエネルギー消費の低減に不利である。
【０００５】
この部分は、全範囲又は全ての特徴の完全な開示ではなく、本発明の一般的な概要を提供する。
【０００６】
本発明の目的は、端末のアップリンク電力制御の効率を向上することができ、及び／又はマクロセルのアップリンク制御チャンネル伝送の負担を低減することができる無線通信システムにおいて無線通信を行う方法、無線通信装置及び無線通信システムを提供することである。
【０００７】
本発明の一面によれば、無線通信システムにおいて無線通信を行なう方法が提供され、前記無線通信システムは、共通ベースバンドの低電力ノード及びマクロ基地局、並びにユーザ機器を備え、前記ユーザ機器は複数のコンポーネントキャリアを介して前記低電力ノード及び前記マクロ基地局と通信し、前記方法は、前記ユーザ機器が前記低電力ノード及び前記マクロ基地局により伝送されるダウンリンク信号を受信するステップと、前記低電力ノード及び前記マクロ基地局にアップリンク信号を伝送するステップと、を備え、前記方法は、前記アップリンク信号のうち全ての第１のアップリンク信号を受信ノードとしての前記低電力ノードに送信するステップをさらに備える。
【０００８】
本発明のもう１つの面によれば、複数のコンポーネントキャリアを介して共通ベースバンドの低電力ノード及びマクロ基地局と通信する無線通信装置が提供され、前記無線通信装置は、前記低電力ノード及び前記マクロ基地局により伝送されるダウンリンク信号を受信する受信ユニットと、前記低電力ノード及び前記マクロ基地局にアップリンク信号を伝送する伝送ユニットと、前記アップリンク信号のうち全ての第１のアップリンク信号を受信ノードとしての前記低電力ノードに伝送するように前記伝送ユニットを制御する制御ユニットと、を備える。
【０００９】
本発明のもう１つの面によれば、無線通信システムが提供され、該無線通信システムは、マクロ基地局と、前記マクロ基地局と共通のベースバンドにある低電力ノードと、複数のコンポーネントキャリアを介して前記低電力ノード及び前記マクロ基地局と通信する本発明に係る無線通信装置と、を備える。
【００１０】
もう１つの面によれば、互いに共通ベースバンドである第１のノード及び第２のノードを有する通信システムにおいて動作する通信装置は、第１のノードと第２のノードとの間のキャリアアグリゲーションを招き、第１のノード及び第２のノードが共通ベースバンドであるように配置される回路を備え、キャリアアグリゲーションは、第１のノードに関連するダウンリンクコンポーネントキャリアをダウンリンクプライマリコンポーネントキャリアとして設置することと、第２のノードに関連するアップリンクコンポーネントキャリアを、アップリンクプライマリコンポーネントキャリアとして設置することとを含む該キャリアアグリゲーションは、アップリンクコンポーネントキャリアを設置する前に、ダウンリンクプライマリコンポーネントキャリアとアップリンクプライマリコンポーネントキャリアとの間の関連を解除することを含んでも良い。第１のノードはマクロ基地局であってもよく、第２のノードは低電力ノード（LPN）であってもよい。また、第１のノードは第１の周波数で動作してもよく、第２のノードは第１の周波数よりも大きい第２の周波数で動作してもよい。
【００１１】
該キャリアアグリゲーションは、回路を用いて、第２のノードに関連するアップリンクプライマリコンポーネントキャリアを介してアップリンク制御シグナリング及びデータパケットの中の少なくとも１つを伝送することを含んでも良い。該キャリアアグリゲーションは、該回路を用いて、第２のノードに関連するアップリンクプライマリコンポーネントキャリアを介して物理アップリンク共有チャネル（PUSCH）信号及び物理アップリンク共有チャネル（PUSCH）信号の中の少なくとも１つを送信することを含んでも良い。もう１つの選択として、該キャリアアグリゲーションは、該回路を用いて、第２のノードに関連するアップリンクプライマリコンポーネントキャリア介して全てのアップリンク制御シグナリングを送信することを含む。さらに、もう１つの選択において、該キャリアアグリゲーションは、該装置と第１のノードとの間の伝送を制御するように、該回路を用いて、第２のノードに関連するアップリンクプライマリコンポーネントキャリアを介してアップリンク制御シグナリングを伝送することを含む。
【００１２】
該キャリアアグリゲーションは、該回路により、無線資源制御（RRC）シグナリング、メディアアクセス制御（MAC）シグナリング、又は物理層のシグナリングの１つを介してアップリンクプライマリコンポーネントキャリアに関する指定情報を受信することを含んでも良い。また、該キャリアアグリゲーションは、第２のノードに用いる複数のコンポーネントキャリアを集合することと、該回路により、無線資源制御（RRC）シグナリング、メディアアクセス制御（MAC）シグナリング、又は物理層のシグナリングの１つを介してアップリンクプライマリコンポーネントキャリアの指定に関する情報を受信することとを含んでも良い。
【００１３】
もう１つの面によれば、無線通信方法であって、プロセッサーを用いて、第１のノードと第２のノードとの間でキャリアアグリゲーションを行い、第１のノード及び第２のノードが共通ベースバンドであり、キャリアアグリゲーションは、第１のノードに関連するダウンリンクコンポーネントキャリアをダウンリンクプライマリコンポーネントキャリアとして設置することと、第２のノードに関連するアップリンクコンポーネントキャリアを、アップリンクプライマリコンポーネントキャリアとして設置することとを含み該キャリアアグリゲーションは、アップリンクコンポーネントキャリアを設置する前に、ダウンリンクプライマリコンポーネントキャリアとアップリンクプライマリコンポーネントキャリアとをデカップリングすることを含んでも良い。第１のノードはマクロ基地局であってもよく、第２のノードは低電力ノード（LPN）であってもよい。
【００１４】
該キャリアアグリゲーションは、第２のノードに関連するアップリンクプライマリコンポーネントキャリアを介してアップリンク制御チャンネル及びデータパケットの少なくとも１つを伝送することを含んでも良い。該キャリアアグリゲーションは、該プロセッサーと第１のノードとの間の伝送を制御するように、第２のノードに関連するアップリンクプライマリコンポーネントキャリアを介してアップリンク制御シグナリングを伝送することを含んでも良い。該キャリアアグリゲーションは、無線資源制御（RRC）シグナリング、メディアアクセス制御（MAC）シグナリング、又は物理層のシグナリングの１つを介してアップリンクプライマリコンポーネントキャリアに関する指定情報を受信することを含んでも良い。該キャリアアグリゲーションは、第２のノードに関連するアップリンクプライマリコンポーネントキャリアを介して物理アップリンク制御チャンネル（PUCCH）及び物理アップリンク共有チャネル（PUSCH）信号の中の少なくとも１つを送信することを含んでも良い。
【００１５】
もう１つの面によれば、第１のコンポーネントキャリアにおいて第１の周波数で第１のノード及び第２のノードの多地点協調（CoMP）伝送用のアップリンク伝送電力を制御する無線通信装置が提供され、該装置は、第２のコンポーネントキャリアにおいて第１の周波数と異なる第２の周波数で第２のノードからのダウンリンク信号を受信し、第２のコンポーネントキャリアにおいて第２の周波数で第２のノードからのダウンリンク信号の受信に関連する第１のダウンリンク経路損失を確定し、確定された第１のダウンリンク経路損失に基づき、第１のコンポーネントキャリアにおいて第１の周波数でCoMP伝送を行なう第２のノードに関連する第２のダウンリンク経路損失を推定し、CoMP伝送用のアップリンク信号伝送電力を補償するように、推定された第２のダウンリンク経路損失に基づき、第１のコンポーネントキャリアにおいて第１の周波数で該装置から第２のノードへ出力する第１のアップリンク信号の第１のアップリンク経路損失を推定するように配置される回路を備える。アップリンク信号は物理アップリンク制御チャンネル（PUCCH）信号、物理アップリンク共有チャネル（PUSCH）信号及びサウンディング参照信号（SRS）の１つであってもよい。
【００１６】
該回路は、第１のアップリンク経路損失に基づき、第１のコンポーネントキャリアにおいて第１の周波数で第２のノードへのCoMP伝送用のアップリンク信号伝送電力を補償するように配置されてもよい。また、該回路は、第１のコンポーネントキャリアにおいて第１の周波数で第１のノードからのダウンリンク信号の受信に関連する第３のダウンリンク経路損失を確定することと、第３のダウンリンク経路損失に基づき、第１のコンポーネントキャリアにおいて第１の周波数で該装置から第１のノードへ出力する第２のアップリンク信号の第２のアップリンク経路損失を確定することとにより、第１のコンポーネントキャリアにおいて第１の周波数で第１のノードへのCoMP伝送用のアップリンク信号伝送電力を補償するように配置されてもよい。第１のノード及び第２のノードのCoMP伝送はCoMPシナリオ４によると、リニアに検出される第１のノード及び第２のノードのセル固有参照信号の参照信号受信電力を第２のノードに関連する受信電力に加算することにより、第１のノードに関連する受信電力を取得してもよい。或いは、第１のノード及び第２のノードのCoMP伝送はCoMPシナリオ３によると、第２のノードに関連する受信電力からリニアに検出される第１のノード及び第２のノードのセル固有参照信号の参照信号受信電力を減算することにより、第１のノードに関連する受信電力を取得してもよい。
【００１７】
もう１つの面によれば、第１のコンポーネントキャリアにおいて第１の周波数で第１のノード及び第２のノードの多地点協調（CoMP）伝送用のアップリンク伝送電力を制御する無線通信方法が提供され、該方法は、第２のコンポーネントキャリアにおいて第１の周波数と異なる第２の周波数で第２のノードからのダウンリンク信号を受信するステップと、第２のコンポーネントキャリアにおいて第２の周波数で第２のノードからのダウンリンク信号の受信に関連する第１のダウンリンク経路損失を確定するステップと、確定された第１のダウンリンク経路損失に基づき、第１のコンポーネントキャリアにおいて第１の周波数でCoMP伝送を行なう第２のノードに関連する第２のダウンリンク経路損失を推定するステップと、CoMP伝送用のアップリンク信号伝送電力を補償するように、推定された第２のダウンリンク経路損失に基づき、第１のコンポーネントキャリアにおいて第１の周波数で該装置から第２のノードへ出力する第１のアップリンク信号の第１のアップリンク経路損失を推定するステップと、を備える。
【００１８】
本発明に係る無線通信システムにおいて無線通信を行なう方法によれば、無線通信装置及び無線通信システムは、アップリンク信号のうち全ての第１のアップリンク信号を受信ノードとしての低電力ノードに送信することにより、端末のアップリンク電力制御の効率を向上することができ、及び／または、マクロセルのアップリンク制御チャンネル伝送の負担を低下することができる。
【００１９】
ここで提供される説明により、適用分野がさらに明らかになる。この概要における説明及び特定の例は例示のためであり、本発明の範囲を限定するものではない。
【００２０】
ここで説明される図面は、全ての可能な実施例ではなく、選択される実施例を説明するものに過ぎず、本発明の範囲を限定するものではない。
【図面の簡単な説明】
【００２１】
【図１】図１は基地局間のキャリアアグリゲーションのシナリオを示す概略図である。
【図２】図２は本発明実施例に係る無線通信システムにおいて無線通信を行う方法を示すフローチャートである。
【図３】図３は異質ネットワークにおいて共通ベースバンド多地点協調伝送を示す概略図である。
【図４】図４は本発明のもう１つの実施例に係る無線通信システムにおいて無線通信を行う方法を示すフローチャートである。
【図５】図５は本発明のもう１つの実施例に係る無線通信システムにおいて無線通信を行う方法を示すフローチャートである。
【図６】図６は本発明実施例に係る無線通信システムを示すブロック図である。
【図７】図７は、本発明実施例に係る無線通信システムにおいて無線通信を行う方法を実現可能な汎用パーソナルコンピューターの例示的な構造を示すブロック図である。
【具体的な実施形態】
【００２２】
本発明は様々な補正及び交替になりやすいが、その特定の実施例は例として図面に示されるとともにここで詳しく説明されている。ここで、特定の実施例に対する説明は、本発明を開示された具体的な形式に限定するつもりがない。それどころか、本発明の目的は、本発明の趣旨及び範囲内にある全ての補正、均等なもの及び交替をカバーするためである。ここで、図面において、対応する符号は対応する部材を示す。
【００２３】
以下、図面を参照して本発明の例をさらに具体的に説明する。下記の説明は実質的に例示的なものに過ぎず、本発明、応用又は用途を限定するものではない。
【００２４】
本発明をさらに具体的に説明して当業者にその範囲を十分に伝達するように、例示的な実施例が提供される。本発明の実施例を詳しく理解させるように、たくさんの特定な詳細説明、例えば、特定の部材、装置及び方法の例が説明される。当業者にとって、例示的な実施例は特定な説明を必要とせず、多くの異なる形式で実現されてもよい。それらは本発明の範囲を限定するものではない。ある例示的な実施例では、周知の過程、構造及び技術に対する説明が省略される。
【００２５】
図１に示すシナリオでは、マクロ基地局１は、マクロセルと称される広いカバレッジエリアを有し、低電力ノード２はスモールセルと称される狭いカバレッジエリアを有する。マクロ基地局１は、例えば２GHzの周波数ポイントを有し、低電力ノード２は、例えば、３.５GHzの周波数ポイントを有する。マクロ基地局１と低電力ノード２との間にキャリアアグリゲーションを行ってもよい。マクロ基地局１は、マクロ基地局１と低電力ノード２とを共通ベースバンドにするように、例えば、光ファイバー４により低電力ノード２に直接に接続されてもよい。ユーザ機器（UE）３は、複数のコンポーネントキャリアを介してマクロ基地局１と低電力ノード２との両者と通信してもよい。
【００２６】
１つの例として、UE３は、マクロ基地局１と低電力ノード２とのノード間のキャリアアグリゲーションを行い、その集合されるコンポーネントキャリアは、キャリアa及びキャリアbである。具体的に、低電力ノード２及びマクロ基地局１はコンポーネントキャリアaにおいてUE３のためにCoMP伝送を行い、且つ低電力ノードはキャリアbでUE３を単独にサービスする。
【００２７】
もう１つの例として、UE３は、コンポーネントキャリアcを介してマクロ基地局１と通信して、コンポーネントキャリアdを介して低電力ノード２と通信してもよい。コンポーネントキャリアc及びコンポーネントキャリアdに対してキャリアアグリゲーション（ノード間のキャリアアグリゲーション）を行ってもよい。
【００２８】
従来技術では、マクロ基地局１と低電力ノード２との間でキャリアアグリゲーションを行う場合、元のプライマリコンポーネントキャリアの設定及び関連ルールは依然として有効である。例えば、FDDモードにおいて、ダウンリンクプライマリコンポーネントキャリアの伝送するSIB２を介してアップリンクプライマリコンポーネントキャリアと関連してもよい。或いは、SIB２の内容が欠落する場合、UE３はダウンリンクプライマリコンポーネントキャリアとその関連するアップリンクプライマリコンポーネントキャリアとの間のデフォルト周波数ポイント間隔により、アップリンクプライマリコンポーネントキャリアを確認してもよい。時分割複信（TDD）モードにおいて、デフォルトダウンリンクプライマリコンポーネントキャリアの伝送機能及びアップリンクプライマリコンポーネントキャリアの伝送機能は同じコンポーネントキャリアにおいて実行される。
【００２９】
マクロ基地局１のコンポーネントキャリアは主にモビリティ制御に関するデータ伝送に用いられるため、プライマリコンポーネントキャリアはマクロ基地局１のダウンリンクコンポーネントキャリアを含む。これにより、元のプライマリコンポーネントキャリアの設定及び関連ルールに基づき、プライマリコンポーネントキャリアもマクロ基地局１のアップリンクコンポーネントキャリアを含む。
【００３０】
また、UE３は２つ又は複数のコンポーネントキャリアにおいてアップリンクデータを伝送する時に、電力が限られる場合、アップリンク送信電力が最大送信電力を超えると、アップリンクサウンディング参照信号（SRS）／物理アップリンク制御チャンネル（PUCCH）／物理アップリンク共有チャネル（PUSCH）情報が破棄される状況が生じ、データ伝送の損失が招かれる。よって、一般的に、アップリンクデータ伝送はできるだけアップリンクプライマリコンポーネントキャリアにおいて行われる。よって、図１に示すマクロ基地局１及び低電力ノード２は共通ベースバンドで伝送する場合は、低電力ノードはマクロセルアップリンク制御チャンネルの負担を軽減するようにマクロ基地局１のPUCCH分路に助力することができない。さらに、マクロ基地局１を受信ノードとしてアップリンク電力制御をする技術案もUE３のエネルギー消費の低下に不利である。
【００３１】
マクロセルアップリンク制御チャンネルの負担を軽減するとともにUEのエネルギー消費を低下するように、図２に示すように、本発明実施例は無線通信システムにおいて無線通信を行う方法を提供する。該無線通信システムは、例えば、図１に示す共通ベースバンドの低電力ノード２及びマクロ基地局１、及びUE３を備え、UE３は複数のコンポーネントキャリアを介して低電力ノード２及びマクロ基地局１と通信する。
【００３２】
図２に示すように、ステップS２１０では、ユーザ機器は低電力ノード及びマクロ基地局により伝送されるダウンリンク信号を受信する。図１において、マクロ基地局１及び低電力ノード２とUE３との間の通信が例示的に示されている。例えば、UE３はマクロ基地局１のカバレッジエリア内にあるとともに、低電力ノード２のカバレッジエリア内にある場合、マクロ基地局１とUE３との間は制御プレーン（C-plane）により通信し、且つ低電力ノード２とUE３との間はユーザプレーン（U-plane）により通信する。
【００３３】
そして、ステップS２２０では、低電力ノード及びマクロ基地局にアップリンク信号を伝送する。例えば、図１に示すように、UE３は低電力ノード２にアップリンク信号を伝送してもよいし、マクロ基地局１にアップリンク信号を伝送してもよい。
【００３４】
最後に、ステップS２３０では、アップリンク信号のうち全ての第１のアップリンク信号を受信ノードとしての低電力ノードに送信する。ここで、第１のアップリンク信号は、PUCCH信号及び／又はPUSCH信号を備えてもよいが、それらに限らない。
【００３５】
従来技術においてデフォルトのマクロ基地局１のアップリンクプライマリコンポーネントキャリアのみでPUCCH信号及びPUSCH信号を伝送することと異なるように、本発明実施例に係る方法は、アップリンク信号の分路を実現するように、PUCCH信号及び／又はPUSCH信号を含む全ての第１のアップリンク信号を低電力ノード２に伝送し、これにより、マクロセルのアップリンク制御チャンネルの負担が軽減される。また、一般的にUE３と低電力ノード２との間の距離はUE３とマクロ基地局１との間の距離よりも遥かに小さいため、低電力ノード２をあるアップリンク信号の受信ノードとすることは、UE３のエネルギー消費の低下に有利である。
【００３６】
低電力ノード２及びマクロ基地局１に対してノード間のキャリアアグリゲーションを行う場合、マクロ基地局１はマクロ基地局１のダウンリンクコンポーネントキャリアをダウンリンクプライマリコンポーネントキャリアに設置する。この場合、本発明実施例に係る方法によれば、アップリンクプライマリコンポーネントキャリアとダウンリンクプライマリコンポーネントキャリアとの間の関連を解除することができる。言い換えれば、元のプライマリコンポーネントキャリアの設定及び関連ルールは解除される。これにより、デフォルトのマクロ基地局１のアップリンクプライマリコンポーネントキャリアのみでPUCCH信号及びPUSCH信号を伝送することはなくなる。
【００３７】
このとき、無線通信システムがFDDシステムである場合、低電力ノード２のアップリンクコンポーネントキャリアをアップリンクプライマリコンポーネントキャリアに設置してもよい。これにより、アップリンクプライマリコンポーネントキャリアのみで伝送するPUCCH信号及びPUSCH信号は、低電力ノード２に伝送され、これにより、アップリンク信号の分路が実現される。
【００３８】
一方、無線通信システムがTDDシステムである場合、ダウンリンクプライマリコンポーネントキャリアの伝送機能は、マクロ基地局１のコンポーネントキャリアのダウンリンクタイムスロットで実行されてもよく、アップリンクプライマリコンポーネントキャリアの伝送機能は、低電力ノード２のコンポーネントキャリアのアップリンクタイムスロットで実行されてもよい。これにより、PUCCH信号及びPUSCH信号を低電力ノード２に伝送することもでき、アップリンク信号の分路が実現される。
【００３９】
また、UE３は低電力ノード２で複数のコンポーネントキャリアを集合するととともに、例えば、マクロ基地局１がこれらのコンポーネントキャリアにおいて動作しないと、マクロ基地局１（或いは低電力ノード２）は、無線資源制御（RRC）シグナリング、メディアアクセス制御（MAC）シグナリング或いは物理層のダウンリンク制御情報（DCI）を介して低電力ノード２上のアップリンクプライマリコンポーネントキャリアをUE３に通知してもよい。UE３は、RRCシグナリング、MACシグナリング又は物理層のDCIを受信することにより低電力ノード２上のアップリンクプライマリコンポーネントキャリアを知ることができる。その代わり、UE３は、UE３の低電力ノード２でのアップリンクプライマリコンポーネントキャリアとして、これらのコンポーネントキャリアのうち最高又は最低の周波数ポイントを有するコンポーネントキャリアをデフォルトに選択してもよい。
【００４０】
さらに、低電力ノード２とマクロ基地局１とのノード間のキャリアアグリゲーションが終了する場合、マクロ基地局１（或いは低電力ノード２）は、RRCシグナリング、MACシグナリング又は物理層のDCIを介して、アップリンクプライマリコンポーネントキャリアとダウンリンクプライマリコンポーネントキャリアとの間の関連を回復することを通知してもよい。UE３は、RRCシグナリング、MACシグナリング又は物理層のDCIを受信することにより、アップリンクプライマリコンポーネントキャリアとダウンリンクプライマリコンポーネントキャリアとの間の関連を回復することが通知される。その代わり、UE３は、アップリンクプライマリコンポーネントキャリアとダウンリンクプライマリコンポーネントキャリアとの間の関連をデフォルトに回復することもできる。アップリンクプライマリコンポーネントキャリアとダウンリンクプライマリコンポーネントキャリアとの間の関連が回復された後、マクロ基地局１のアップリンクコンポーネントキャリアは、アップリンクプライマリコンポーネントキャリアに設置される。
【００４１】
以下、図１を例として説明する。図１に示すUE３は、２GHz及び３.５GHzのコンポーネントキャリアを集合すると、スモールセルは主にアップリンクデータ伝送を担当するため、PUCCH及びPUSCHは基本的に３.５GHzのコンポーネントキャリアにおいて伝送される。このとき、マクロセルのアップリンク伝送のためのPUCCHシグナリングは、３.５GHzのアップリンクコンポーネントキャリア（FDD）／アップリンクタイムスロット（TDD）に統合される。それとともに、UE３の送信電力を節約するために、UE３とマクロ基地局１との間のアップリンクシグナリング対話は、３.５GHzのアップリンクコンポーネントキャリアにおいて伝送されてもよい。この操作は、基地局間のキャリアアグリゲーション状態に入った後にデフォルトに実行されてもよいし、ダウンリンクプライマリコンポーネントキャリアによりRRC／MAC／物理層のシグナリングを介して実行されてもよい。
【００４２】
図１に示すUE３がスモールセル３.５GHzの周波数帯で２つ又は複数のコンポーネントキャリアを集合すると、ダウンリンクプライマリコンポーネントキャリアは、RRC／MAC／物理層のシグナリングを介してアップリンクプライマリコンポーネントキャリアを指定し、或いはネットワーク及びUE３は、アップリンクプライマリコンポーネントキャリアとして、スモールセルの集合されるキャリアから最高又は最低のアップリンク周波数ポイントを有するコンポーネントキャリアをデフォルトに選択する。
【００４３】
図１に示すUE３は基地局間のキャリアアグリゲーション状態を終了すると、ダウンリンクプライマリコンポーネントキャリアはRRC／MAC／物理層のシグナリングを介して、アップリンクプライマリコンポーネントキャリアとダウンリンクプライマリコンポーネントキャリアとの間のSIB２関連を回復することをUE３に通知し、或いは、ネットワーク及びUE３はこのような関係をデフォルトに自動に回復する。
【００４４】
図３は異質ネットワークにおいて共通ベースバンドCoMP伝送を示すトポロジ図である。図３に示す独立セルID協調モード（即ち、CoMPシナリオ３）及び単一周波数ネットワーク協調モード（即ち、CoMPシナリオ４）において、ダウンリンク送信ポイント及びアップリンク受信ポイントをデカップリングする機能がサポートされる。このとき、アップリンクプライマリコンポーネントキャリアとダウンリンクプライマリコンポーネントキャリアとのデカップリングが行われないと、アップリンクPUCCH及びPUSCHの送信電力を節約するように、正確な電力制御によりアップリンク目標受信ノードとして低電力ノードを選択することが依然としてできる。さらに、低電力ノード及びマクロ基地局にSRS信号を送信する場合、データ受信の正確さ及び消費電力の効率を確保するように、正確な電力制御も必要となる。
【００４５】
元のアップリンク電力制御は、ダウンリンク送信ポイントの経路損失により処理される。それがCoMPシナリオ４（複数の送信ポイントからの同じ信号が統合される）であると、ダウンリンクチャンネル品質推定は間違いなく高すぎることにより、経路損失補償電力が低すぎ、アップリンク信号の受信品質が低下される。一方、CoMPシナリオ３においてアップリンク送信電力が低電力ノードのダウンリンク干渉により大きくなると、低電力ノード上の干渉がさらに大きくなる。
【００４６】
本発明の発明者は、周波数間測定の補償に基づきPUSCH及びPUCCHのアップリンク電力制御の調整パラメータを導出することにより、アップリンクデータ全体の伝送結果を最適化することを提出する。
【００４７】
また、LTE／LTE-A TDDシステムにおいて、SRSは、アップリンク送信のタイミング前進の確定に用いられるとともに、アップリンクチャンネルとダウンリンクチャンネルとの相反性の特徴によりダウンリンクチャンネル品質の推定にも用いられる。前者の送信電力は受信ノードの集めによって決定されるが、後者の送信電力は送信ノードの集めによって決定される。発明者が既知のように、標準化作業のリスクを最小化させるように、SRSの電力制御数値の範囲を大きくすることにより微調整がされてもよい。発明者は、これらのシナリオにおいてアップリンク電力制御の最適化問題を解決する統一の解決案が要求されると認識している。
【００４８】
図４は本発明実施例に係るアップリンク電力制御の経路補償の方法を示す。図４に示す方法は、マクロ基地局及び低電力ノードは少なくとも第１のコンポーネントキャリアにおいて多地点協調伝送を行うとともに低電力ノードは少なくとも第２のコンポーネントキャリアを介してユーザ機器と通信する状況に適する。
【００４９】
図４に示すように、ステップS４１０では、低電力ノードが第２のコンポーネントキャリアにおいてダウンリンク信号をユーザ機器に単独に伝送するときに発生する単独のダウンリンク経路損失を参照して、低電力ノードが第１のコンポーネントキャリアにおいてユーザ機器のために多地点協調伝送するときの協調ダウンリンク経路損失を推定する。
【００５０】
低電力ノードがセル固有参照信号（CRS）を単独で伝送するときの送信電力およびリニアに検出された低電力ノードのセル固有参照信号（CRS）の参照信号受信電力（RSRP）により、単独のダウンリンク経路損失を取得しても良い。
【００５１】
そして、ステップS４２０では、アップリンク信号の伝送電力補償を行うように、協調ダウンリンク経路損失に基づき、第１のコンポーネントキャリアにおいて低電力ノードを目標受信ノードとするユーザ機器により出されるアップリンク信号のアップリンク経路損失を推定する。
【００５２】
2016524404.tif 000003
【００５３】
2016524404.tif 000004
【００５４】
2016524404.tif 000005
【００５５】
これにより、周波数間測定の補償に基づき、低電力ノードを目標受信ノードとしてのアップリンク信号のアップリンク電力制御調整パラメータを導出することが完了され、アップリンクデータ全体の伝送結果が最適化される。ここで、アップリンク信号は、PUSCH、PUCCH及びSRSを備えてもよい。
【００５６】
具体的な電力補償方法について、アップリンク信号がPUSCHである場合、例えば、下記の式（２）で補償してもよい。
【数２】
2016524404.tif 000006
式中、Pは、PUSCHの閉ループ電力（即ち、端末がPUSCH信号を送信するために提供する電力）を表し、
Pmaxは最大電力を表し、
Mは資源ブロック（RB）の数を表し、
P０_PUSCH(j)は、ハイレベルシグナリングに設置される電力参照値を表し、アップリンク受信端末の騒音レベルを反映するものであり、
α(j)は、経路損失補償係数を表し、
PLは、本発明の方法により推定されるアップリンク経路損失を表し、
ΔTFは、電力オフセットを表し、
f(i)は調整値を表す。
【００５７】
アップリンク信号はPUCCHである場合、例えば、下記の式（３）で補償してもよい。
【数３】
2016524404.tif 000007
式中、Pは、PUCCHの閉ループ電力（即ち、端末がPUCCH信号を送信するために提供する電力）を表し、
Pmaxは最大電力を表し、
P０_PUSCH(j)は、ハイレベルシグナリングに設置される電力参照値を表し、アップリンク受信端末の騒音レベルを反映するものであり、
PLは、本発明の方法に推定されるアップリンク経路損失を表し、
h(nCQI, nHARQ)はPUCCHの送信電力のオフセットを表し、
ΔF_PUCCH(F)は、もう１つの種類のPUCCHの送信電力の電力オフセットを表し、
g(i)は調整値を表す。
【００５８】
アップリンク信号がSRSである場合、例えば、下記の式（４）で補償してもよい。
【数４】
2016524404.tif 000008
式中、PはSRSの閉ループ電力（即ち、端末がSRS信号を送信するために提供する電力である）を表し、
Pmaxは最大電力を表し、
PSRS_OFFSETは、SRSのための電力オフセットを表し、
MSRSは、SRSに要求される資源ブロックの数を表し、
P０_PUSCH(j)は、ハイレベルシグナリングに設置される電力参照値を表し、アップリンクの受信端末の騒音レベルを反映するものであり、
α(j)は、経路損失補償係数を表し、
PLは、本発明の方法により推定されるアップリンク経路損失を表し、
ΔTFは電力オフセットを表し、
f(i)は調整値を表す。
【００５９】
上記式（２）〜（４）はそれぞれPUSCH、PUCCH及びSRSの閉ループ電力の制御式である。開ループ電力制御について、下記の式（５）で電力補償を行ってもよい。
【数５】
2016524404.tif 000009
式中、PSDTXは開ループ電力を表し、
P０はハイレベルシグナリングに設置される電力参照値を表し、アップリンク受信端末の騒音レベルを反映するものであり、
Αは経路損失補償係数を表し、
PLは本発明の方法により推定されるアップリンク経路損失を表す。
【００６０】
以上のように、低電力ノードを目標受信ノードとしてのアップリンク信号のアップリンク電力制御調整パラメータの導出を説明した。マクロ基地局を目標受信ノードとする場合、アップリンク信号のアップリンク電力制御調整パラメータの導出も行われる。
【００６１】
本発明の実施例によれば、低電力ノードの協調ダウンリンク経路損失に基づき、マクロ基地局が第１のコンポーネントキャリア上でユーザ機器のために多地点協調伝送をするときの協調ダウンリンク経路損失を推定することができる。
【００６２】
具体的に、例えば、低電力ノードが第１のコンポーネントキャリアにおいてユーザ機器のために多地点協調伝送モードでセル固有参照信号（CRS）、データ又はチャンネル状態情報参照信号（CSI-RS）を伝送する時の送信電力、及び低電力ノードの協調ダウンリンク経路損失により、低電力ノードの受信電力が得られる。
【００６３】
さらに、リニアに検出される低電力ノード及びマクロ基地局のCRSのRSRPとともに低電力ノードの受信電力により、マクロ基地局の受信電力が得られる。
【００６４】
さらに、マクロ基地局が第１のコンポーネントキャリアにおいてユーザ機器のために多地点協調伝送のモードでCRSを伝送する時の送信電力、及びマクロ基地局の受信電力により、マクロ基地局の協調ダウンリンク経路損失が得られる。
【００６５】
次に、アップリンク信号伝送電力補償を行うように、マクロ基地局の協調ダウンリンク経路損失に基づき、第１のコンポーネントキャリアにおいてマクロ基地局を目標受信ノードとするユーザ機器により出されるアップリンク信号のアップリンク経路損失が得られる。
【００６６】
ここで、アップリンク信号は、同じようにPUSCH、PUCCH及びSRSを備えてもよい。勿論、上述のように、アップリンク信号の分路を実現するために、アップリンクプライマリコンポーネントキャリアのみで伝送されるPUCCH信号及びPUSCH信号の全てが低電力ノードに伝送されると、アップリンクチャンネルとダウンリンクチャンネルとの相反性によりマクロ基地局のダウンリンクチャンネルの品質を推定するように、マクロ基地局を目標受信ノードとするアップリンク信号はSRS信号のみを備えてもよい。
【００６７】
2016524404.tif 000010
【００６８】
2016524404.tif 000011
【００６９】
2016524404.tif 000012
【００７０】
2016524404.tif 000013
【００７１】
2016524404.tif 000014
【００７２】
2016524404.tif 000015
【００７３】
2016524404.tif 000016
【００７４】
2016524404.tif 000017
【００７５】
2016524404.tif 000018
【００７６】
2016524404.tif 000019
【００７７】
2016524404.tif 000020
【００７８】
2016524404.tif 000021
【００７９】
2016524404.tif 000022
【００８０】
2016524404.tif 000023
【００８１】
2016524404.tif 000024
【００８２】
上記式（８）では、マクロ基地局の受信電力と低電力ノードの受信電力との記号はプラスからマイナスに変更される以外に、何の変更もない。
【００８３】
2016524404.tif 000025
【００８４】
2016524404.tif 000026
【００８５】
2016524404.tif 000027
【００８６】
2016524404.tif 000028
【００８７】
上記の式（８）は、マクロ基地局の受信電力と低電力ノードの受信電力とが相殺されてマクロ基地局の受信電力が低電力ノードの受信電力よりも大きい状況を表す。マクロ基地局の受信電力と低電力ノードの受信電力とが相殺されてマクロ基地局の受信電力が低電力ノードの受信電力以下の状況に対して、下記の式（９）によりアップリンク経路損失を推定してもよい。
【数９】
2016524404.tif 000029
【００８８】
2016524404.tif 000030
【００８９】
2016524404.tif 000031
【００９０】
2016524404.tif 000032
【００９１】
2016524404.tif 000033
【００９２】
本発明の実施例によれば、異質ネットワークのシナリオでは、低電力送信ノードとマクロ基地局との間に共通ベースバンド処理が行われる場合、基地局間のキャリアアグリゲーションを行うとき、アップリンクPUCCH／PUSCH伝送をできるだけ低電力送信ノードの集合されるキャリアで伝送する。マクロ基地局ノードと低電力ノードとの間に多地点協調伝送が行われ、且つアップリンクデータ伝送（PUCCH、PUSCH、SRS等を含む）が必要となる場合、さらに正確なアップリンク電力制御を行うように、低電力ノードがキャリアを単独で伝送する経路損失を参照して、多点伝送周波数帯で低電力ノードの経路損失を推定することにより、マクロ基地局ノード及び低電力ノードのアップリンク電力制御の経路損失補償値を得る。
【００９３】
以下、図６を組み合わせて本発明実施例に係る無線通信システムを説明する。図６に示すように、本発明実施例に係る無線通信システム１００は、マクロ基地局２１０、低電力ノード２２０及び無線通信装置３００を備える。低電力ノード２２０及びマクロ基地局２１０は共通ベースバンドであり、無線通信装置３００は、複数のコンポーネントキャリアを介して低電力ノード２２０及びマクロ基地局２１０と通信してもよい。
【００９４】
無線通信装置３００は受信ユニット３１０、伝送ユニット３２０及び制御ユニット３３０等を備えてもよい。
【００９５】
受信ユニット３１０は、低電力ノード２２０及びマクロ基地局２１０に伝送されるダウンリンク信号を受信するものであってもよい。
【００９６】
伝送ユニット３２０は、低電力ノード２２０及びマクロ基地局２１０にアップリンク信号を伝送するものであってもよい。
【００９７】
制御ユニット３３０は、アップリンク信号のうち全ての第１のアップリンク信号を受信ノードとしての低電力ノード２２０に伝送するように伝送ユニット３２０を制御するものであってもよい。
【００９８】
ここで、第１のアップリンク信号はPUCCH信号及び／又はPUSCH信号を備えてもよい。
【００９９】
低電力ノード２２０とマクロ基地局２１０との間でキャリアアグリゲーションを行ってもよく、且つマクロ基地局２１０はマクロ基地局２１０のダウンリンクコンポーネントキャリアをダウンリンクプライマリコンポーネントキャリアに設置してもよい。
【０１００】
低電力ノード２２０とマクロ基地局２１０との間でキャリアアグリゲーションを行う場合、制御ユニット３３０は、アップリンクプライマリコンポーネントキャリアとダウンリンクプライマリコンポーネントキャリアとの間の関連を解除してもよい。
【０１０１】
FDDモードでは、制御ユニット３３０は、低電力ノード２２０のアップリンクコンポーネントキャリアをアップリンクプライマリコンポーネントキャリアに設置してもよい。
【０１０２】
無線通信システム１００はTDDシステムであってもよい。このとき、ダウンリンクプライマリコンポーネントキャリアの伝送機能はマクロ基地局２１０のコンポーネントキャリアのダウンリンクタイムスロットにより実行されてもよく、アップリンクプライマリコンポーネントキャリアの伝送機能は、低電力ノード２２０のコンポーネントキャリアのアップリンクタイムスロットにより実行されてもよい。
【０１０３】
マクロ基地局２１０は、RRCシグナリング、MACシグナリング又は物理層のDCIを介して、低電力ノード２２０でのアップリンクプライマリコンポーネントキャリア、或いは、アップリンクプライマリコンポーネントキャリアとダウンリンクプライマリコンポーネントキャリアとの間の関連を回復することを無線通信装置３００に通知してもよい。
【０１０４】
受信ユニット３１０は、低電力ノード２２０でのアップリンクプライマリコンポーネントキャリアを知るように、RRCシグナリング、MACシグナリング又は物理層のDCIを受信してもよい。その代わり、無線通信装置３００が低電力ノード２２０で複数のコンポーネントキャリアを集合し、マクロ基地局２１０がこれらのコンポーネントキャリアにおいて動作しない場合に、制御ユニット３３０は、低電力ノード２２０でのアップリンクプライマリコンポーネントキャリアとして、これらのコンポーネントキャリアのうち最高又は最低の周波数ポイントを有するコンポーネントキャリアをデフォルトに選択してもよい。
【０１０５】
低電力ノード２２０とマクロ基地局２１０との間のキャリアアグリゲーションが終了すると、受信ユニット３１０は、アップリンクプライマリコンポーネントキャリアとダウンリンクプライマリコンポーネントキャリアとの間の関連を回復することを知るように、RRCシグナリング、MACシグナリング又は物理層のDCIを受信してもよい。その代わり、制御ユニット３３０は、アップリンクプライマリコンポーネントキャリアとダウンリンクプライマリコンポーネントキャリアとの間の関連をデフォルトに回復してもよい。アップリンクプライマリコンポーネントキャリアとダウンリンクプライマリコンポーネントキャリアとの間の関連を回復した後、マクロ基地局２１０のアップリンクコンポーネントキャリアは、アップリンクプライマリコンポーネントキャリアに設置されてもよい。
【０１０６】
マクロ基地局２１０及び低電力ノード２２０は、第１のコンポーネントキャリアにおいて多地点協調伝送を行ってもよく、低電力ノード２２０は、第２のコンポーネントキャリアを介して無線通信装置３００と通信してもよい。この場合、無線通信装置３００は、低電力ノード２２０又はマクロ基地局２１０を目標受信ノードとする無線通信装置３００により出されるアップリンク信号のアップリンク経路損失を推定する推定ユニット３４０をさらに備えてもよく、これにより、アップリンク信号伝送電力補償が行われる。
【０１０７】
具体的に、推定ユニット３４０は、低電力ノード２２０が第２のコンポーネントキャリアにおいて無線通信装置３００のためにダウンリンク信号を単独で伝送する時に発生する単独のダウンリンク経路損失を参照して、低電力ノード２２０が第１のコンポーネントキャリアにおいて無線通信装置３００のために多地点協調伝送を行う時の協調ダウンリンク経路損失を推定することに用いられる。そして、低電力ノード２２０の協調ダウンリンク経路損失に基づき、推定ユニット３４０は、アップリンク信号伝送電力補償を行うように、低電力ノード２２０を目標受信ノードとする無線通信装置３００により出されるアップリンク信号のアップリンク経路損失を推定してもよい。
【０１０８】
さらに、推定ユニット３４０は、低電力ノード２２０の協調ダウンリンク経路損失に基づき、マクロ基地局２１０が第１のコンポーネントキャリアにおいて無線通信装置３００のために多地点協調伝送を行う時の協調ダウンリンク経路損失を推定することにも用いられる。そして、マクロ基地局２１０の協調ダウンリンク経路損失に基づき、推定ユニット３４０は、アップリンク信号伝送電力補償を行うように、マクロ基地局２１０を目標受信ノードとする無線通信装置３００により出されるアップリンク信号のアップリンク経路損失をさらに推定してもよい。
【０１０９】
本発明実施例に係る無線通信システムの上記各ユニットの各種の具体的な実施形態は上述のように詳しく説明されたため、ここで重複に説明しない。
【０１１０】
当然ながら、本発明に係る無線通信システムにおいて無線通信を行う方法の各操作過程は、各種の機械可読な記憶媒体に記憶されるコンピュータ実行可能なプログラムとして実現されてもよい。
【０１１１】
さらに、本発明の目的は、上記実行可能なプログラムコードを記憶する記憶媒体をシステム又は機器に直接又は間接に提供し、且つ該システム又は機器におけるコンピュータ又は中央処理ユニット（CPU）が上記プログラムコードを読み出して実行するように実現されてもよい。このとき、該システム又は機器がプログラムを実行する機能を有すればよく、本発明の実施形態はプログラムに限らない。さらに、該プログラムは、例えば、オブジェクトプログラム、インタープリターに実行されるプログラム、或いはオペレーティングシステムに提供されるスクリプトプログラム等の任意の形式であってもよい。
【０１１２】
上記機械可読な記憶媒体は、各種の記憶装置及び記憶ユニット、半導体装置、ディスクユニット（例えば、光ディスク、磁気ディスク、光磁気ディスク）及び情報を記憶する他の媒体などを含んでもよいが、それらに限らない。
【０１１３】
また、コンピュータはインターネットの対応するウェブサイトにアクセスするとともに、本発明によるコンピュータプログラムコードをコンピュータにダウンロードしてインストールしてから、該プログラムを実行することにより、本発明の技術案も実現される。
【０１１４】
図７は本発明実施例に係る無線通信システムにおいて無線通信を行う方法を実現可能な汎用パーソナルコンピューターの例示的な構造を示すブロック図である。
【０１１５】
図７に示すように、CPU １３０１は、読取専用記憶媒体(ROM)１３０２に記憶されるプログラム又は記憶部１３０８からランダムアクセスメモリ(RAM)１３０３にローディングされるプログラムにより各種の処理を実行する。RAM １３０３は、必要に応じてCPU １３０１が各種の処理等を実行する場合に必要なデータをも記憶する。CPU １３０１、ROM １３０２及びRAM １３０３はバス１３０４を介して互いに接続される。入力／出力インタフェース１３０５もバス１３０４に接続される。
【０１１６】
入力部１３０６（キーボード、マウス等を含む）、出力部１３０７（例えば、陰極線管（CRT）、液晶ディスプレイ（LCD）等のディスプレイ、スピーカー等を含む）、記憶部１３０８（ハードウェア等を含む）、通信部１３０９（ネットワークインタフェースカード、例えば、LANカード、モデム等を含む）は、入力／出力インタフェース１３０５に接続される。通信部分１３０９は、ネットワーク、例えば、インターネットを介して通信処理を実行する。駆動装置１３１０は必要に応じて入力／出力インタフェース１３０５に接続されてもよい。リムーバブルメディア１３１１、例えば、磁気ディスク、光ディスク、光磁気ディスク、半導体メモリ等は、必要に応じて駆動装置１３１０に実装され、これにより、それから読み出されるコンピュータプログラムは必要に応じて記憶部１３０８にインストールされる。
【０１１７】
ソフトウェアにより上記一連の処理を実現する場合、ネットワーク、例えば、インターネット、或いは、記憶媒体、例えば、リムーバブルメディア１３１１からソフトウェアを構成するプログラムをインストールする。
【０１１８】
ここで、このような記憶媒体は、図７に示すプログラムが記憶され、ユーザにプログラムを提供するように装置から分離して配信するリムーバブルメディア１３１１に限らない。リムーバブルメディア１３１１は、例えば、磁気ディスク（フロッピーディスクを含む）、光ディスク（光ディスク読取専用記憶媒体（CD-ROM）及びデジタル多用途ディスク（DVD））、光磁気ディスク（ミニディスク（MD）（登録商標）を含む）及び半導体メモリを含む。或いは、記憶媒体は、ROM１３０２、記憶部１３０８に含まれるハードディスク等であってもよく、プログラムを記憶しており、それらを含む装置とともにユーザに配信される。
【０１１９】
（１）無線通信システムにおいて無線通信を行なう方法であって、前記無線通信システムは共通ベースバンドの低電力ノード及びマクロ基地局、並びに複数のコンポーネントキャリアを介して前記低電力ノード及び前記マクロ基地局と通信するユーザ機器を備え、前記方法は、前記ユーザ機器により前記低電力ノード及び前記マクロ基地局に伝送されるダウンリンク信号を受信するステップと、前記低電力ノード及び前記マクロ基地局にアップリンク信号を伝送するステップとを備え、前記方法は、前記アップリンク信号のうち全ての第１のアップリンク信号を受信ノードとしての前記低電力ノードに送信するステップをさらに備える。
【０１２０】
（２）前記第１のアップリンク信号は、物理アップリンク制御チャンネル（PUCCH）信号及び／又は物理アップリンク共有チャネル（PUSCH）信号を備える（１）に記載の方法。
【０１２１】
前記低電力ノードと前記マクロ基地局との間でキャリアアグリゲーションを行い、前記マクロ基地局は前記マクロ基地局のダウンリンクコンポーネントキャリアをダウンリンクプライマリコンポーネントキャリアとして設置する（１）又は（２）に記載の方法。
【０１２２】
（４）アップリンクプライマリコンポーネントキャリアと前記ダウンリンクプライマリコンポーネントキャリアとの間の関連を解除するステップをさらに備える（１）〜（３）の何れか１つに記載の方法。
【０１２３】
（５）前記無線通信システムは周波数分割複信（FDD）システムであり、前記方法は、前記低電力ノードのアップリンクコンポーネントキャリアを前記アップリンクプライマリコンポーネントキャリアとして設置するステップをさらに備える（１）〜（４）の何れか１つに記載の方法。
【０１２４】
（６）前記無線通信システムは時分割複信（TDD）システムであり、前記ダウンリンクプライマリコンポーネントキャリアの伝送機能は、前記マクロ基地局のコンポーネントキャリアのダウンリンクタイムスロットで実行され、前記アップリンクプライマリコンポーネントキャリアの伝送機能は、前記低電力ノードのコンポーネントキャリアのアップリンクタイムスロットで実行される（１）〜（４）の何れか１つに記載の方法。
【０１２５】
（７）無線資源制御（RRC）シグナリング、メディアアクセス制御（MAC）シグナリング又は物理層のダウンリンク制御情報（DCI）を受信することにより、前記低電力ノード上のアップリンクプライマリコンポーネントキャリアを知るステップをさらに備える（４）〜（６）の何れか１つに記載の方法。
【０１２６】
（８）前記ユーザ機器が前記低電力ノードで複数のコンポーネントキャリアを集合するとともに前記マクロ基地局が前記複数のコンポーネントキャリアにおいて動作しない場合、前記方法は、RRCシグナリング、MACシグナリング又は物理層のDCIを介して前記低電力ノード上のアップリンクプライマリコンポーネントキャリアを知るステップ、或いは、前記低電力ノードでのアップリンクプライマリコンポーネントキャリアとして前記複数のコンポーネントキャリアから最高又は最低の周波数ポイントを有するコンポーネントキャリアをデフォルトに選択するステップをさらに備える（４）〜（７）の何れか１つに記載の方法。
【０１２７】
（９）前記低電力ノードと前記マクロ基地局との間のキャリアアグリゲーションが終了すると、前記方法は、RRCシグナリング、MACシグナリング又は物理層のDCIを受信することにより、前記アップリンクプライマリコンポーネントキャリアと前記ダウンリンクプライマリコンポーネントキャリアとの間の関連の回復を知るステップ、或いは、前記アップリンクプライマリコンポーネントキャリアと前記ダウンリンクプライマリコンポーネントキャリアとの間の関連をデフォルトに回復するステップをさらに備え、前記アップリンクプライマリコンポーネントキャリアと前記ダウンリンクプライマリコンポーネントキャリアとの間の関連を回復した後、前記マクロ基地局のアップリンクコンポーネントキャリアは前記アップリンクプライマリコンポーネントキャリアに設置される（４）〜（７）の何れか１つに記載の方法。
【０１２８】
（１０）前記マクロ基地局及び前記低電力ノードは少なくとも第１のコンポーネントキャリアにおいて多地点協調（CoMP）伝送を行い、前記低電力ノードは、少なくとも第２のコンポーネントキャリアを介して前記ユーザ機器と通信する（１）〜（９）の何れか１つに記載の方法。
【０１２９】
（１１）前記低電力ノードが前記第２のコンポーネントキャリアにおいて前記ユーザ機器のためにダウンリンク信号を単独で伝送する時に発生する単独のダウンリンク経路損失を参照して、前記低電力ノードが前記第１のコンポーネントキャリアにおいて前記ユーザ機器のためにCoMP伝送を行う時の第１の協調ダウンリンク経路損失を推定するステップと、アップリンク信号伝送電力補償を行なうように、前記第１の協調ダウンリンク経路損失に基づき、前記第１のコンポーネントキャリアにおいて前記低電力ノードを目標受信ノードとする前記ユーザ機器により出されるアップリンク信号の第１のアップリンク経路損失を推定するステップと、をさらに備える（１）〜（１０）の何れか１つに記載の方法。
【０１３０】
（１２）前記低電力ノードがセル固有参照信号（CRS）を単独で伝送する時の送信電力、及びリニアに検出される前記低電力ノードのCRSの参照信号受信電力（RSRP）に基づき、前記単独のダウンリンク経路損失を取得する（１）〜（１１）の何れか１つに記載の方法。
【０１３１】
（１３）前記第１の協調ダウンリンク経路損失に基づき、前記マクロ基地局が前記第１のコンポーネントキャリアにおいて前記ユーザ機器のためにCoMP伝送を行なうときの第２の協調ダウンリンク経路損失を推定するステップと、アップリンク信号伝送電力補償を行なうように、前記第２の協調ダウンリンク経路損失に基づき、前記第１のコンポーネントキャリアにおいて前記マクロ基地局を目標受信ノードとする前記ユーザ機器により出されるアップリンク信号の第２のアップリンク経路損失を推定するステップと、をさらに備える（１２）に記載の方法。
【０１３２】
（１４）前記低電力ノードが前記第１のコンポーネントキャリアにおいて前記ユーザ機器のためにCoMP伝送モードでCRS、データ又はチャンネル状態情報参照信号（CSI-RS）を伝送する時の送信電力、及び前記第１の協調ダウンリンク経路損失に応じて、第１の受信電力を取得し、リニアに検出される前記低電力ノード及び前記マクロ基地局のCRSのRSRP及び前記第１の受信電力に基づき、第２の受信電力を取得し、前記マクロ基地局は前記第１のコンポーネントキャリアにおいて前記ユーザ機器のためにCoMP伝送モードで前記CRSを伝送する時の送信電力及び前記第２の受信電力に基づき、前記第２の協調ダウンリンク経路損失を取得する（１３）に記載の方法。
【０１３３】
（１５）前記マクロ基地局を目標受信ノードとする前記ユーザ機器により出されるアップリンク信号は、サウンディング参照信号（SRS）を含む（１３）又は（１４）に記載の方法。
【０１３４】
（１６）無線通信装置であって、複数のコンポーネントキャリアを介して共通ベースバンドの低電力ノード及びマクロ基地局と通信するものであり、前記無線通信装置は、前記低電力ノード及び前記マクロ基地局に伝送されるダウンリンク信号を受信する受信ユニットと、前記低電力ノード及び前記マクロ基地局にアップリンク信号を伝送する伝送ユニットと、前記アップリンク信号のうち全ての第１のアップリンク信号を受信ノードとする前記低電力ノードに伝送するように前記伝送ユニットを制御する制御ユニットと、を備える。
【０１３５】
（１７）前記第１のアップリンク信号はPUCCH信号及び／又はPUSCH信号を含む（１６）に記載の無線通信装置。
【０１３６】
（１８）前記低電力ノードと前記マクロ基地局との間でキャリアアグリゲーションを行なう場合に、前記制御ユニットは、アップリンクプライマリコンポーネントキャリアとダウンリンクプライマリコンポーネントキャリアとの間の関連を解除する（１６）又は（１７）に記載の無線通信装置。
【０１３７】
（１９）前記制御ユニットは、前記低電力ノードのアップリンクコンポーネントキャリアを前記アップリンクプライマリコンポーネントキャリアとして設置する（１６）〜（１８）の何れか１つに記載の無線通信装置。
【０１３８】
（２０）前記受信ユニットは、前記低電力ノードでのアップリンクプライマリコンポーネントキャリアを知るか、或いは、前記アップリンクプライマリコンポーネントキャリアと前記ダウンリンクプライマリコンポーネントキャリアとの間の関連を回復するように、RRCシグナリング、MACシグナリング又は物理層のDCIを受信する（１６）〜（１９）の何れか１つに記載の無線通信装置。
【０１３９】
（２１）前記無線通信装置は前記低電力ノードで複数のコンポーネントキャリアを集合するとともに前記マクロ基地局は前記複数のコンポーネントキャリアにおいて動作しない場合に、前記制御ユニットは、前記低電力ノードでのアップリンクプライマリコンポーネントキャリアとして、前記複数のコンポーネントキャリアから最高又は最低の周波数ポイントを有するコンポーネントキャリアをデフォルトに選択する（１６）〜（２０）の何れか１つに記載の無線通信装置。
【０１４０】
（２２）前記低電力ノードと前記マクロ基地局との間のキャリアアグリゲーションが終了する場合に、前記制御ユニットは、前記アップリンクプライマリコンポーネントキャリアと前記ダウンリンクプライマリコンポーネントキャリアとの間の関連をデフォルトに回復する（１６）〜（２０）の何れか１つに記載の無線通信装置。
【０１４１】
（２３）前記マクロ基地局及び前記低電力ノードは第１のコンポーネントキャリアにおいてCoMP伝送を行なうとともに、前記低電力ノードが第２のコンポーネントキャリアを介して前記無線通信装置と通信する場合、前記無線通信装置は、推定ユニットをさらに備え、前記推定ユニットは、前記低電力ノードが前記第２のコンポーネントキャリアにおいて前記無線通信装置のためにダウンリンク信号を単独で伝送するときに発生する単独のダウンリンク経路損失を参照して、前記低電力ノードが前記第１のコンポーネントキャリアにおいて前記無線通信装置のためにCoMP伝送を行なう時の第１の協調ダウンリンク経路損失を推定するとともに、アップリンク信号伝送電力補償を行なうように、前記第１の協調ダウンリンク経路損失に基づき、前記低電力ノードを目標受信ノードとする前記無線通信装置により出されるアップリンク信号の第１のアップリンク経路損失を推定するように配置される（１６）に記載の無線通信装置。
【０１４２】
（２４）前記推定ユニットは、さらに、前記第１の協調ダウンリンク経路損失に基づき、前記マクロ基地局が前記第１のコンポーネントキャリアにおいて前記無線通信装置のためにCoMP伝送を行なう時の第２の協調ダウンリンク経路損失を推定するととともに、アップリンク信号伝送電力補償を行なうように、前記第２の協調ダウンリンク経路損失に基づき、前記マクロ基地局を目標受信ノードとする前記無線通信装置により出されるアップリンク信号の第２のアップリンク経路損失を推定する（２３）に記載の無線通信装置。
【０１４３】
（２５）無線通信システムであって、マクロ基地局と、前記マクロ基地局と共通のベースバンドにある低電力ノードと、複数のコンポーネントキャリアを介して前記低電力ノード及び前記マクロ基地局と通信する（１６）〜（２４）のいずれか１項に記載の無線通信装置と、を備える。
【０１４４】
（２６）前記マクロ基地局は、RRCシグナリング、MACシグナリング又は物理層のDCIを介して、前記低電力ノードでのアップリンクプライマリコンポーネントキャリア、或いはアップリンクプライマリコンポーネントキャリアとダウンリンクプライマリコンポーネントキャリアとの間の関連の回復を前記無線通信装置に通知する（２５）に記載の無線通信システム。
【０１４５】
（１）通信システムで動作する通信装置であって、前記通信システムは互いに共通ベースバンドにある第１のノード及び第２のノードを備え、前記通信装置は、前記第１のノードと前記第２のノードとの間のキャリアアグリゲーションを招くように配置される回路を備え、前記第１のノード及び前記第２のノードは互いに共通ベースバンドであり、前記キャリアアグリゲーションは、前記第１のノードと関連するダウンリンクコンポーネントキャリアをダウンリンクプライマリコンポーネントキャリアとして設置すること、及び前記第２のノードと関連するアップリンクコンポーネントキャリアをアップリンクプライマリコンポーネントキャリアとして設置することとを含む。
【０１４６】
（２）前記キャリアアグリゲーションは、前記回路を用いて前記第２のノードと関連する前記アップリンクプライマリコンポーネントキャリアを介してアップリンク制御シグナリング及びデータパケットの少なくとも１つを伝送することを含む（１）に記載の装置。
【０１４７】
（３）前記キャリアアグリゲーションは、前記アップリンクコンポーネントキャリアを上記のように設置する前に、前記ダウンリンクプライマリコンポーネントキャリアと前記アップリンクプライマリコンポーネントキャリアとの間の関連を解除することを含む（１）又は（２）に記載の装置。
【０１４８】
（４）前記第１のノードはマクロ基地局であり、前記第２のノードは低電力ノード（LPN）である（１）〜（３）の何れか１つに記載の装置。
【０１４９】
（５）前記第１のノードは第１の周波数で動作し、前記第２のノードは前記第１の周波数よりも大きい第２の周波数で動作する（１）〜（４）の何れか１つに記載の装置。
【０１５０】
（６）前記キャリアアグリゲーションは、前記装置と前記第１のノードとの間の伝送を制御するように、前記回路を用いて、前記第２のノードと関連する前記アップリンクプライマリコンポーネントキャリアを介してアップリンク制御シグナリングを伝送することを含む（１）及び（３）〜（５）の何れか１つに記載の装置。
【０１５１】
（７）前記キャリアアグリゲーションは、前記回路により、無線資源制御（RRC）シグナリング、メディアアクセス制御（MAC）シグナリング、又は物理層シグナリングの１つを介して、前記アップリンクプライマリコンポーネントキャリアに関する指定情報を受信することを含む（１）〜（６）の何れか１つに記載の装置。
【０１５２】
（８）前記キャリアアグリゲーションは、前記第２のノードに用いる複数のコンポーネントキャリアを集合することと、前記回路により、無線資源制御（RRC）シグナリング、メディアアクセス制御（MAC）シグナリング、又は物理層シグナリングの１つを介して前記アップリンクプライマリコンポーネントキャリアの指定に関する情報を受信することを含む（１）〜（６）の何れか１つに記載の装置。
【０１５３】
（９）前記キャリアアグリゲーションは、前記回路を用いて、前記第２のノードに関連する前記アップリンクプライマリコンポーネントキャリアを介して物理アップリンク制御チャンネル（PUCCH）信号及び物理アップリンク共有チャネル（PUSCH）信号の中の少なくとも１つを送信することを含む（１）〜（８）の何れか１つに記載の装置。
【０１５４】
（１０）前記キャリアアグリゲーションは、前記回路を用いて、前記第２のノードと関連する前記アップリンクプライマリコンポーネントキャリアを介して、全てのアップリンク制御シグナリングを送信する（１）〜（８）の何れか１つに記載の装置。
【０１５５】
（１１）無線通信方法であって、プロセッサーを用いて第１のノードと第２のノードとの間でキャリアアグリゲーションを行うステップを備え、前記第１のノードと前記第２のノードとは互いに共通ベースバンドであり、前記キャリアアグリゲーションは、前記第１のノードと関連するダウンリンクコンポーネントキャリアをダウンリンクプライマリコンポーネントキャリアとして設置することと、前記第２のノードと関連するアップリンクコンポーネントキャリアをアップリンクプライマリコンポーネントキャリアとして設置することとを含む。
【０１５６】
（１２）前記キャリアアグリゲーションは、前記プロセッサーと前記第１のノードとの間の伝送を制御するように、前記第２のノードと関連する前記アップリンクプライマリコンポーネントキャリアを介してアップリンク制御シグナリングを送信することを含む（１１）に記載の無線通信方法。
【０１５７】
（１３）前記キャリアアグリゲーションは、無線資源制御（RRC）シグナリング、メディアアクセス制御（MAC）シグナリング、又は物理層のシグナリングの１つを介して前記アップリンクプライマリコンポーネントキャリアに関する指定情報を受信する（１１）又は（１２）に記載の無線通信方法。
【０１５８】
（１４）第１のコンポーネントキャリアにおいて第１の周波数で第１のノード及び第２のノードの多地点協調（CoMP）伝送用のアップリンク伝送電力を制御する無線通信装置であって、第２のコンポーネントキャリアにおいて前記第１の周波数と異なる第２の周波数で前記第２のノードからのダウンリンク信号を受信し、前記第２のコンポーネントキャリアにおいて前記第２の周波数で前記第２のノードからの前記ダウンリンク信号の受信に関連する第１のダウンリンク経路損失を確定し、確定された第１のダウンリンク経路損失に基づき、前記第１のコンポーネントキャリアにおいて前記第１の周波数で前記CoMP伝送を行なう前記第２のノードに関連する第２のダウンリンク経路損失を推定するとともに、前記CoMP伝送用のアップリンク信号伝送電力を補償するように、推定された第２のダウンリンク経路損失に基づき、前記第１のコンポーネントキャリアにおいて前記第１の周波数で前記装置から前記第２のノードへ出力する第１のアップリンク信号の第１のアップリンク経路損失を推定するように配置される回路を備える。
【０１５９】
（１５）前記アップリンク信号は物理アップリンク制御チャンネル（PUCCH）信号、物理アップリンク共有チャネル（PUSCH）信号及びサウンディング参照信号（SRS）のうちの１つである（１４）に記載の装置。
【０１６０】
（１６）前記回路は、前記第１のアップリンク経路損失に基づき、前記第１のコンポーネントキャリアにおいて前記第１の周波数で前記第２のノードへのCoMP伝送用のアップリンク信号伝送電力を補償するように配置される（１４）又は（１５）に記載の装置。
【０１６１】
（１７）前記回路は、前記第１のコンポーネントキャリアにおいて前記第１の周波数で前記第１のノードからのダウンリンク信号の受信に関連する第３のダウンリンク経路損失の確定、及び前記第３のダウンリンク経路損失に基づき前記第１のコンポーネントキャリアにおいて前記第１の周波数で前記装置から前記第１のノードへ出力する第２のアップリンク信号の第２のアップリンク経路損失の確定に基づき、第１のコンポーネントキャリアにおいて前記第１の周波数で前記第１のノードへのCoMP伝送用のアップリンク信号伝送電力を補償する（１４）〜（１６）の何れか１つに記載の装置。
【０１６２】
（１８）前記第１のノード及び前記第２のノードの前記CoMP伝送はCoMPシナリオ４により、リニアに検出される前記第１のノード及び前記第２のノードのセル固有参照信号の参照信号受信電力を、前記第２のノードに関連する受信電力に加算することにより、前記第１のノードに関連する受信電力を取得する（１４）〜（１７）の何れか１つに記載の装置。
【０１６３】
（１９）前記第１のノード及び前記第２のノードの前記CoMP伝送はCoMPシナリオ３により、前記第２のノードに関連する受信電力から、リニアに検出される前記第１のノード及び前記第２のノードのセル固有参照信号の参照信号受信電力を減算することにより、前記第１のノードに関連する受信電力を取得する（１４）〜（１７）の何れか１つに記載の装置。
【０１６４】
（２０）第１のコンポーネントキャリアにおいて第１の周波数で第１のノード及び第２のノードの多地点協調（CoMP）伝送用のアップリンク伝送電力を制御する無線通信方法であって、第２のコンポーネントキャリアにおいて前記第１の周波数と異なる第２の周波数で前記第２のノードからのダウンリンク信号を受信するステップと、前記第２のコンポーネントキャリアにおいて前記第２の周波数で前記第２のノードからの前記ダウンリンク信号の受信に関連する第１のダウンリンク経路損失を確定するステップと、確定された第１のダウンリンク経路損失に基づき、前記第１のコンポーネントキャリアにおいて前記第１の周波数で前記CoMP伝送を行なう前記第２のノードに関連する第２のダウンリンク経路損失を推定するステップと、前記CoMP伝送用のアップリンク信号伝送電力を補償するように、推定された第２のダウンリンク経路損失に基づき、前記第１のコンポーネントキャリアにおいて前記第１の周波数で前記装置から前記第２のノードへ出力する第１のアップリンク信号の第１のアップリンク経路損失を推定するステップと、を備える。
【０１６５】
本発明に係るシステム及び方法では、明らかなように、各部分又は各ステップを分解及び／又は再結合することができる。この分解及び／又は再結合は、本発明の同等技術案とみなされるべきである。さらに、上記一連の処理を実行するステップは、自然に説明の通りに順次に実行されてもよいが、順次に実行されなくてもよい。あるステップは、並行又は互いに独立に実行されてもよい。
【０１６６】
以上のように図面を組み合わせて本発明の実施例を説明したが、上述のように説明された実施形態は本発明を説明するものに過ぎず、本発明を限定するものではない。当業者にとって、本発明の精神及び範囲から逸脱しない前提で上記実施形態を様々な補正及び変更することができる。よって、本発明の範囲は特許請求の範囲及びその同意義のみに限定される。
【図１】
2016524404.tif 000034
【図２】
2016524404.tif 000035
【図３】
2016524404.tif 000036
【図４】
2016524404.tif 000037
【図５】
2016524404.tif 000038
【図６】
2016524404.tif 000039
【図７】
2016524404.tif 000040
【手続補正書】
【提出日】平成27年11月30日(2015.11.30)
【手続補正１】
【補正対象書類名】明細書
【補正対象項目名】全文
【補正方法】変更
【補正の内容】
【発明の詳細な説明】
【技術分野】
【０００１】
本発明は無線通信の技術的分野に関し、具体的に無線通信システムにおいて無線通信を行う方法、無線通信装置及び無線通信システムに関する。
【背景技術】
【０００２】
この部分は本発明に関係する背景情報を提供するが、必ずしも従来技術ではない。
【０００３】
ロングタームエボリューション（LTE）Rel-１１の前のキャリアアグリゲーションは何れも単一基地局ノードのキャリアアグリゲーションである。１つの端末のアグレゲートされるキャリアは、１つのプライマリコンポーネントキャリア及び少なくとも１つのセカンダリコンポーネントキャリアからなる。周波数分割複信（FDD）モードでは、ダウンリンクプライマリコンポーネントキャリアとアップリンクプライマリコンポーネントキャリアとの関連は、システム情報ブロックタイプ２（SIB２）メッセージによって確定される。物理アップリンク制御チャンネル（PUCCH）信号は、アップリンクプライマリコンポーネントキャリアにおいて伝送される。通常、１つのみのアップリンクコンポーネントキャリアはアップリンクデータ伝送を行う。プライマリコンポーネントキャリアの変更はハンドオフ行為の発生を意味する。
【０００４】
基地局間で行われるキャリアアグリゲーションの場合、マクロ基地局及び低電力ノードが共通ベースバンドではないと、アップリンクキャリアアグリゲーションが発生するとともに、元のプライマリコンポーネントキャリア設定及び関連ルールは依然として有効である。マクロ基地局のコンポーネントキャリアは主にモビリティ制御に関連するデータ伝送に用いられるため、プライマリコンポーネントキャリアは、マクロ基地局のダウンリンクコンポーネントキャリアを含む。アップリンクプライマリコンポーネントキャリアは依然としてSIB２により関連付けられると、マクロ基地局及び低電力ノードが共通ベースバンド伝送を行なう場合、それはマクロセルのアップリンク制御チャンネルの負担を軽減するようにマクロ基地局のPUCCH分路に助力することができない。さらに、マクロ基地局及び低電力ノードは多地点協調（CoMP）伝送を行う場合、特にマクロ基地局がアップリンク受信ノードとなる場合、正確な電力制御を行うことができない。さらにまた、マクロ基地局を受信ノードとしてアップリンク電力制御を行う技術案もユーザ機器（UE）のエネルギー消費の低減に不利である。
【０００５】
この部分は、全範囲又は全ての特徴の完全な開示ではなく、本発明の一般的な概要を提供する。
【０００６】
本発明の目的は、端末のアップリンク電力制御の効率を向上することができ、及び／又はマクロセルのアップリンク制御チャンネル伝送の負担を低減することができる無線通信システムにおいて無線通信を行う方法、無線通信装置及び無線通信システムを提供することである。
【０００７】
本発明の一面によれば、無線通信システムにおいて無線通信を行なう方法が提供され、前記無線通信システムは、共通ベースバンドの低電力ノード及びマクロ基地局、並びにユーザ機器を備え、前記ユーザ機器は複数のコンポーネントキャリアを介して前記低電力ノード及び前記マクロ基地局と通信し、前記方法は、前記ユーザ機器が前記低電力ノード及び前記マクロ基地局により伝送されるダウンリンク信号を受信するステップと、前記低電力ノード及び前記マクロ基地局にアップリンク信号を伝送するステップと、を備え、前記方法は、前記アップリンク信号のうち全ての第１のアップリンク信号を受信ノードとしての前記低電力ノードに送信するステップをさらに備える。
【０００８】
本発明のもう１つの面によれば、複数のコンポーネントキャリアを介して共通ベースバンドの低電力ノード及びマクロ基地局と通信する無線通信装置が提供され、前記無線通信装置は、前記低電力ノード及び前記マクロ基地局により伝送されるダウンリンク信号を受信する受信ユニットと、前記低電力ノード及び前記マクロ基地局にアップリンク信号を伝送する伝送ユニットと、前記アップリンク信号のうち全ての第１のアップリンク信号を受信ノードとしての前記低電力ノードに伝送するように前記伝送ユニットを制御する制御ユニットと、を備える。
【０００９】
本発明のもう１つの面によれば、無線通信システムが提供され、該無線通信システムは、マクロ基地局と、前記マクロ基地局と共通のベースバンドにある低電力ノードと、複数のコンポーネントキャリアを介して前記低電力ノード及び前記マクロ基地局と通信する本発明に係る無線通信装置と、を備える。
【００１０】
もう１つの面によれば、通信システムにおいて動作する通信装置が提供され、該通信システムは、第１のノード及び第２のノードを備え、該通信装置は、キャリアアグリゲーションに基づき第１のノード及び第２のノードとの通信を招くように配置される回路を備え、該通信は、第１のノードに関連するダウンリンクコンポーネントキャリアをダウンリンクプライマリコンポーネントキャリアとして設置することと、第２のノードに関連するアップリンクコンポーネントキャリアを、物理アップリンク制御チャンネル（PUCCH）を伝送するアップリンクプライマリコンポーネントキャリアとして設置することとを含み、該通信は、該回路を用いて、第２のノードに関連するアップリンクプライマリコンポーネントキャリアを介してアップリンク制御シグナリングを伝送することを含む。該通信は、アップリンクコンポーネントキャリアを設置する前に、ダウンリンクプライマリコンポーネントキャリアとアップリンクプライマリコンポーネントキャリアとの間の関連を解除することを含んでも良い。第１のノードはマクロ基地局であってもよく、第２のノードは低電力ノード（LPN）であってもよい。また、第１のノードは第１の周波数で動作してもよく、第２のノードは第１の周波数よりも大きい第２の周波数で動作してもよい。
【００１１】
該通信は、回路を用いて、第２のノードに関連するアップリンクプライマリコンポーネントキャリアを介してデータパケットを伝送することを含んでも良い。該通信は、該回路を用いて、第２のノードに関連するアップリンクプライマリコンポーネントキャリアを介して物理アップリンク共有チャネル（PUSCH）信号を送信することを含んでも良い。もう１つの選択として、該通信は、該回路を用いて、第２のノードに関連するアップリンクプライマリコンポーネントキャリア介して全てのアップリンク制御シグナリングを送信することを含む。さらに、もう１つの選択において、該通信は、該装置と第１のノードとの間の伝送を制御するように、該回路を用いて、第２のノードに関連するアップリンクプライマリコンポーネントキャリアを介してアップリンク制御シグナリングを伝送することを含む。
【００１２】
該通信は、該回路により、無線資源制御（RRC）シグナリング、メディアアクセス制御（MAC）シグナリング、又は物理層のシグナリングの１つを介してアップリンクプライマリコンポーネントキャリアに関する指定情報を受信することを含んでも良い。また、該通信は、第２のノードに用いる複数のコンポーネントキャリアを集合することと、該回路により、無線資源制御（RRC）シグナリング、メディアアクセス制御（MAC）シグナリング、又は物理層のシグナリングの１つを介してアップリンクプライマリコンポーネントキャリアの指定に関する情報を受信することとを含んでも良い。
【００１３】
もう１つの面によれば、無線通信方法は、プロセッサーを用いて、キャリアアグリゲーションに基づき、第１のノード及び第２のノードとの通信を行なうステップを備え、該通信は、第１のノードに関連するダウンリンクコンポーネントキャリアをダウンリンクプライマリコンポーネントキャリアとして設置することと、第２のノードに関連するアップリンクコンポーネントキャリアを、物理アップリンク制御チャンネル（PUCCH）を伝送するアップリンクプライマリコンポーネントキャリアとして設置することとを含み、該通信は、第２のノードに関連するアップリンクプライマリコンポーネントキャリアを介してアップリンク制御シグナリングを伝送することを含む。該通信は、アップリンクコンポーネントキャリアを設置する前に、ダウンリンクプライマリコンポーネントキャリアとアップリンクプライマリコンポーネントキャリアとをデカップリングすることを含んでも良い。第１のノードはマクロ基地局であってもよく、第２のノードは低電力ノード（LPN）であってもよい。
【００１４】
該通信は、第２のノードに関連するアップリンクプライマリコンポーネントキャリアを介して及びデータパケットを伝送することを含んでも良い。該通信は、該プロセッサーと第１のノードとの間の伝送を制御するように、第２のノードに関連するアップリンクプライマリコンポーネントキャリアを介してアップリンク制御シグナリングを伝送することを含んでも良い。該通信は、無線資源制御（RRC）シグナリング、メディアアクセス制御（MAC）シグナリング、又は物理層のシグナリングの１つを介してアップリンクプライマリコンポーネントキャリアに関する指定情報を受信することを含んでも良い。該通信は、第２のノードに関連するアップリンクプライマリコンポーネントキャリアを介して物理アップリンク共有チャネル（PUSCH）信号を送信することを含んでも良い。
【００１５】
もう１つの面によれば、第１のコンポーネントキャリアにおいて第１の周波数で第１のノード及び第２のノードの多地点協調（CoMP）伝送用のアップリンク伝送電力を制御する無線通信装置が提供され、該装置は、第２のコンポーネントキャリアにおいて第１の周波数と異なる第２の周波数で第２のノードからのダウンリンク信号を受信し、第２のコンポーネントキャリアにおいて第２の周波数で第２のノードからのダウンリンク信号の受信に関連する第１のダウンリンク経路損失を確定し、確定された第１のダウンリンク経路損失に基づき、第１のコンポーネントキャリアにおいて第１の周波数でCoMP伝送を行なう第２のノードに関連する第２のダウンリンク経路損失を推定し、CoMP伝送用のアップリンク信号伝送電力を補償するように、推定された第２のダウンリンク経路損失に基づき、第１のコンポーネントキャリアにおいて第１の周波数で該装置から第２のノードへ出力する第１のアップリンク信号の第１のアップリンク経路損失を推定するように配置される回路を備える。アップリンク信号は物理アップリンク制御チャンネル（PUCCH）信号、物理アップリンク共有チャネル（PUSCH）信号及びサウンディング参照信号（SRS）の１つであってもよい。
【００１６】
該回路は、第１のアップリンク経路損失に基づき、第１のコンポーネントキャリアにおいて第１の周波数で第２のノードへのCoMP伝送用のアップリンク信号伝送電力を補償するように配置されてもよい。また、該回路は、第１のコンポーネントキャリアにおいて第１の周波数で第１のノードからのダウンリンク信号の受信に関連する第３のダウンリンク経路損失を確定することと、第３のダウンリンク経路損失に基づき、第１のコンポーネントキャリアにおいて第１の周波数で該装置から第１のノードへ出力する第２のアップリンク信号の第２のアップリンク経路損失を確定することとにより、第１のコンポーネントキャリアにおいて第１の周波数で第１のノードへのCoMP伝送用のアップリンク信号伝送電力を補償するように配置されてもよい。第１のノード及び第２のノードのCoMP伝送はCoMPシナリオ４によると、リニアに検出される第１のノード及び第２のノードのセル固有参照信号の参照信号受信電力を第２のノードに関連する受信電力に加算することにより、第１のノードに関連する受信電力を取得してもよい。或いは、第１のノード及び第２のノードのCoMP伝送はCoMPシナリオ３によると、第２のノードに関連する受信電力からリニアに検出される第１のノード及び第２のノードのセル固有参照信号の参照信号受信電力を減算することにより、第１のノードに関連する受信電力を取得してもよい。
【００１７】
もう１つの面によれば、第１のコンポーネントキャリアにおいて第１の周波数で第１のノード及び第２のノードの多地点協調（CoMP）伝送用のアップリンク伝送電力を制御する無線通信方法が提供され、該方法は、第２のコンポーネントキャリアにおいて第１の周波数と異なる第２の周波数で第２のノードからのダウンリンク信号を受信するステップと、第２のコンポーネントキャリアにおいて第２の周波数で第２のノードからのダウンリンク信号の受信に関連する第１のダウンリンク経路損失を確定するステップと、確定された第１のダウンリンク経路損失に基づき、第１のコンポーネントキャリアにおいて第１の周波数でCoMP伝送を行なう第２のノードに関連する第２のダウンリンク経路損失を推定するステップと、CoMP伝送用のアップリンク信号伝送電力を補償するように、推定された第２のダウンリンク経路損失に基づき、第１のコンポーネントキャリアにおいて第１の周波数で該装置から第２のノードへ出力する第１のアップリンク信号の第１のアップリンク経路損失を推定するステップと、を備える。
【００１８】
本発明に係る無線通信システムにおいて無線通信を行なう方法によれば、無線通信装置及び無線通信システムは、アップリンク信号のうち全ての第１のアップリンク信号を受信ノードとしての低電力ノードに送信することにより、端末のアップリンク電力制御の効率を向上することができ、及び／または、マクロセルのアップリンク制御チャンネル伝送の負担を低下することができる。
【００１９】
ここで提供される説明により、適用分野がさらに明らかになる。この概要における説明及び特定の例は例示のためであり、本発明の範囲を限定するものではない。
【００２０】
ここで説明される図面は、全ての可能な実施例ではなく、選択される実施例を説明するものに過ぎず、本発明の範囲を限定するものではない。
【図面の簡単な説明】
【００２１】
【図１】図１は基地局間のキャリアアグリゲーションのシナリオを示す概略図である。
【図２】図２は本発明実施例に係る無線通信システムにおいて無線通信を行う方法を示すフローチャートである。
【図３】図３は異質ネットワークにおいて共通ベースバンド多地点協調伝送を示す概略図である。
【図４】図４は本発明のもう１つの実施例に係る無線通信システムにおいて無線通信を行う方法を示すフローチャートである。
【図５】図５は本発明のもう１つの実施例に係る無線通信システムにおいて無線通信を行う方法を示すフローチャートである。
【図６】図６は本発明実施例に係る無線通信システムを示すブロック図である。
【図７】図７は、本発明実施例に係る無線通信システムにおいて無線通信を行う方法を実現可能な汎用パーソナルコンピューターの例示的な構造を示すブロック図である。
【具体的な実施形態】
【００２２】
本発明は様々な補正及び交替になりやすいが、その特定の実施例は例として図面に示されるとともにここで詳しく説明されている。ここで、特定の実施例に対する説明は、本発明を開示された具体的な形式に限定するつもりがない。それどころか、本発明の目的は、本発明の趣旨及び範囲内にある全ての補正、均等なもの及び交替をカバーするためである。ここで、図面において、対応する符号は対応する部材を示す。
【００２３】
以下、図面を参照して本発明の例をさらに具体的に説明する。下記の説明は実質的に例示的なものに過ぎず、本発明、応用又は用途を限定するものではない。
【００２４】
本発明をさらに具体的に説明して当業者にその範囲を十分に伝達するように、例示的な実施例が提供される。本発明の実施例を詳しく理解させるように、たくさんの特定な詳細説明、例えば、特定の部材、装置及び方法の例が説明される。当業者にとって、例示的な実施例は特定な説明を必要とせず、多くの異なる形式で実現されてもよい。それらは本発明の範囲を限定するものではない。ある例示的な実施例では、周知の過程、構造及び技術に対する説明が省略される。
【００２５】
図１に示すシナリオでは、マクロ基地局１は、マクロセルと称される広いカバレッジエリアを有し、低電力ノード２はスモールセルと称される狭いカバレッジエリアを有する。マクロ基地局１は、例えば２GHzの周波数ポイントを有し、低電力ノード２は、例えば、３.５GHzの周波数ポイントを有する。マクロ基地局１と低電力ノード２との間にキャリアアグリゲーションを行ってもよい。マクロ基地局１は、マクロ基地局１と低電力ノード２とを共通ベースバンドにするように、例えば、光ファイバー４により低電力ノード２に直接に接続されてもよい。ユーザ機器（UE）３は、複数のコンポーネントキャリアを介してマクロ基地局１と低電力ノード２との両者と通信してもよい。
【００２６】
１つの例として、UE３は、マクロ基地局１と低電力ノード２とのノード間のキャリアアグリゲーションを行い、その集合されるコンポーネントキャリアは、キャリアa及びキャリアbである。具体的に、低電力ノード２及びマクロ基地局１はコンポーネントキャリアaにおいてUE３のためにCoMP伝送を行い、且つ低電力ノードはキャリアbでUE３を単独にサービスする。
【００２７】
もう１つの例として、UE３は、コンポーネントキャリアcを介してマクロ基地局１と通信して、コンポーネントキャリアdを介して低電力ノード２と通信してもよい。コンポーネントキャリアc及びコンポーネントキャリアdに対してキャリアアグリゲーション（ノード間のキャリアアグリゲーション）を行ってもよい。
【００２８】
従来技術では、マクロ基地局１と低電力ノード２との間でキャリアアグリゲーションを行う場合、元のプライマリコンポーネントキャリアの設定及び関連ルールは依然として有効である。例えば、FDDモードにおいて、ダウンリンクプライマリコンポーネントキャリアの伝送するSIB２を介してアップリンクプライマリコンポーネントキャリアと関連してもよい。或いは、SIB２の内容が欠落する場合、UE３はダウンリンクプライマリコンポーネントキャリアとその関連するアップリンクプライマリコンポーネントキャリアとの間のデフォルト周波数ポイント間隔により、アップリンクプライマリコンポーネントキャリアを確認してもよい。時分割複信（TDD）モードにおいて、デフォルトダウンリンクプライマリコンポーネントキャリアの伝送機能及びアップリンクプライマリコンポーネントキャリアの伝送機能は同じコンポーネントキャリアにおいて実行される。
【００２９】
マクロ基地局１のコンポーネントキャリアは主にモビリティ制御に関するデータ伝送に用いられるため、プライマリコンポーネントキャリアはマクロ基地局１のダウンリンクコンポーネントキャリアを含む。これにより、元のプライマリコンポーネントキャリアの設定及び関連ルールに基づき、プライマリコンポーネントキャリアもマクロ基地局１のアップリンクコンポーネントキャリアを含む。
【００３０】
また、UE３は２つ又は複数のコンポーネントキャリアにおいてアップリンクデータを伝送する時に、電力が限られる場合、アップリンク送信電力が最大送信電力を超えると、アップリンクサウンディング参照信号（SRS）／物理アップリンク制御チャンネル（PUCCH）／物理アップリンク共有チャネル（PUSCH）情報が破棄される状況が生じ、データ伝送の損失が招かれる。よって、一般的に、アップリンクデータ伝送はできるだけアップリンクプライマリコンポーネントキャリアにおいて行われる。よって、図１に示すマクロ基地局１及び低電力ノード２は共通ベースバンドで伝送する場合は、低電力ノードはマクロセルアップリンク制御チャンネルの負担を軽減するようにマクロ基地局１のPUCCH分路に助力することができない。さらに、マクロ基地局１を受信ノードとしてアップリンク電力制御をする技術案もUE３のエネルギー消費の低下に不利である。
【００３１】
マクロセルアップリンク制御チャンネルの負担を軽減するとともにUEのエネルギー消費を低下するように、図２に示すように、本発明実施例は無線通信システムにおいて無線通信を行う方法を提供する。該無線通信システムは、例えば、図１に示す共通ベースバンドの低電力ノード２及びマクロ基地局１、及びUE３を備え、UE３は複数のコンポーネントキャリアを介して低電力ノード２及びマクロ基地局１と通信する。
【００３２】
図２に示すように、ステップS２１０では、ユーザ機器は低電力ノード及びマクロ基地局により伝送されるダウンリンク信号を受信する。図１において、マクロ基地局１及び低電力ノード２とUE３との間の通信が例示的に示されている。例えば、UE３はマクロ基地局１のカバレッジエリア内にあるとともに、低電力ノード２のカバレッジエリア内にある場合、マクロ基地局１とUE３との間は制御プレーン（C-plane）により通信し、且つ低電力ノード２とUE３との間はユーザプレーン（U-plane）により通信する。
【００３３】
そして、ステップS２２０では、低電力ノード及びマクロ基地局にアップリンク信号を伝送する。例えば、図１に示すように、UE３は低電力ノード２にアップリンク信号を伝送してもよいし、マクロ基地局１にアップリンク信号を伝送してもよい。
【００３４】
最後に、ステップS２３０では、アップリンク信号のうち全ての第１のアップリンク信号を受信ノードとしての低電力ノードに送信する。ここで、第１のアップリンク信号は、PUCCH信号及び／又はPUSCH信号を備えてもよいが、それらに限らない。
【００３５】
従来技術においてデフォルトのマクロ基地局１のアップリンクプライマリコンポーネントキャリアのみでPUCCH信号及びPUSCH信号を伝送することと異なるように、本発明実施例に係る方法は、アップリンク信号の分路を実現するように、PUCCH信号及び／又はPUSCH信号を含む全ての第１のアップリンク信号を低電力ノード２に伝送し、これにより、マクロセルのアップリンク制御チャンネルの負担が軽減される。また、一般的にUE３と低電力ノード２との間の距離はUE３とマクロ基地局１との間の距離よりも遥かに小さいため、低電力ノード２をあるアップリンク信号の受信ノードとすることは、UE３のエネルギー消費の低下に有利である。
【００３６】
低電力ノード２及びマクロ基地局１に対してノード間のキャリアアグリゲーションを行う場合、マクロ基地局１はマクロ基地局１のダウンリンクコンポーネントキャリアをダウンリンクプライマリコンポーネントキャリアに設置する。この場合、本発明実施例に係る方法によれば、アップリンクプライマリコンポーネントキャリアとダウンリンクプライマリコンポーネントキャリアとの間の関連を解除することができる。言い換えれば、元のプライマリコンポーネントキャリアの設定及び関連ルールは解除される。これにより、デフォルトのマクロ基地局１のアップリンクプライマリコンポーネントキャリアのみでPUCCH信号及びPUSCH信号を伝送することはなくなる。
【００３７】
このとき、無線通信システムがFDDシステムである場合、低電力ノード２のアップリンクコンポーネントキャリアをアップリンクプライマリコンポーネントキャリアに設置してもよい。これにより、アップリンクプライマリコンポーネントキャリアのみで伝送するPUCCH信号及びPUSCH信号は、低電力ノード２に伝送され、これにより、アップリンク信号の分路が実現される。
【００３８】
一方、無線通信システムがTDDシステムである場合、ダウンリンクプライマリコンポーネントキャリアの伝送機能は、マクロ基地局１のコンポーネントキャリアのダウンリンクタイムスロットで実行されてもよく、アップリンクプライマリコンポーネントキャリアの伝送機能は、低電力ノード２のコンポーネントキャリアのアップリンクタイムスロットで実行されてもよい。これにより、PUCCH信号及びPUSCH信号を低電力ノード２に伝送することもでき、アップリンク信号の分路が実現される。
【００３９】
また、UE３は低電力ノード２で複数のコンポーネントキャリアを集合するととともに、例えば、マクロ基地局１がこれらのコンポーネントキャリアにおいて動作しないと、マクロ基地局１（或いは低電力ノード２）は、無線資源制御（RRC）シグナリング、メディアアクセス制御（MAC）シグナリング或いは物理層のダウンリンク制御情報（DCI）を介して低電力ノード２上のアップリンクプライマリコンポーネントキャリアをUE３に通知してもよい。UE３は、RRCシグナリング、MACシグナリング又は物理層のDCIを受信することにより低電力ノード２上のアップリンクプライマリコンポーネントキャリアを知ることができる。その代わり、UE３は、UE３の低電力ノード２でのアップリンクプライマリコンポーネントキャリアとして、これらのコンポーネントキャリアのうち最高又は最低の周波数ポイントを有するコンポーネントキャリアをデフォルトに選択してもよい。
【００４０】
さらに、低電力ノード２とマクロ基地局１とのノード間のキャリアアグリゲーションが終了する場合、マクロ基地局１（或いは低電力ノード２）は、RRCシグナリング、MACシグナリング又は物理層のDCIを介して、アップリンクプライマリコンポーネントキャリアとダウンリンクプライマリコンポーネントキャリアとの間の関連を回復することを通知してもよい。UE３は、RRCシグナリング、MACシグナリング又は物理層のDCIを受信することにより、アップリンクプライマリコンポーネントキャリアとダウンリンクプライマリコンポーネントキャリアとの間の関連を回復することが通知される。その代わり、UE３は、アップリンクプライマリコンポーネントキャリアとダウンリンクプライマリコンポーネントキャリアとの間の関連をデフォルトに回復することもできる。アップリンクプライマリコンポーネントキャリアとダウンリンクプライマリコンポーネントキャリアとの間の関連が回復された後、マクロ基地局１のアップリンクコンポーネントキャリアは、アップリンクプライマリコンポーネントキャリアに設置される。
【００４１】
以下、図１を例として説明する。図１に示すUE３は、２GHz及び３.５GHzのコンポーネントキャリアを集合すると、スモールセルは主にアップリンクデータ伝送を担当するため、PUCCH及びPUSCHは基本的に３.５GHzのコンポーネントキャリアにおいて伝送される。このとき、マクロセルのアップリンク伝送のためのPUCCHシグナリングは、３.５GHzのアップリンクコンポーネントキャリア（FDD）／アップリンクタイムスロット（TDD）に統合される。それとともに、UE３の送信電力を節約するために、UE３とマクロ基地局１との間のアップリンクシグナリング対話は、３.５GHzのアップリンクコンポーネントキャリアにおいて伝送されてもよい。この操作は、基地局間のキャリアアグリゲーション状態に入った後にデフォルトに実行されてもよいし、ダウンリンクプライマリコンポーネントキャリアによりRRC／MAC／物理層のシグナリングを介して実行されてもよい。
【００４２】
図１に示すUE３がスモールセル３.５GHzの周波数帯で２つ又は複数のコンポーネントキャリアを集合すると、ダウンリンクプライマリコンポーネントキャリアは、RRC／MAC／物理層のシグナリングを介してアップリンクプライマリコンポーネントキャリアを指定し、或いはネットワーク及びUE３は、アップリンクプライマリコンポーネントキャリアとして、スモールセルの集合されるキャリアから最高又は最低のアップリンク周波数ポイントを有するコンポーネントキャリアをデフォルトに選択する。
【００４３】
図１に示すUE３は基地局間のキャリアアグリゲーション状態を終了すると、ダウンリンクプライマリコンポーネントキャリアはRRC／MAC／物理層のシグナリングを介して、アップリンクプライマリコンポーネントキャリアとダウンリンクプライマリコンポーネントキャリアとの間のSIB２関連を回復することをUE３に通知し、或いは、ネットワーク及びUE３はこのような関係をデフォルトに自動に回復する。
【００４４】
図３は異質ネットワークにおいて共通ベースバンドCoMP伝送を示すトポロジ図である。図３に示す独立セルID協調モード（即ち、CoMPシナリオ３）及び単一周波数ネットワーク協調モード（即ち、CoMPシナリオ４）において、ダウンリンク送信ポイント及びアップリンク受信ポイントをデカップリングする機能がサポートされる。このとき、アップリンクプライマリコンポーネントキャリアとダウンリンクプライマリコンポーネントキャリアとのデカップリングが行われないと、アップリンクPUCCH及びPUSCHの送信電力を節約するように、正確な電力制御によりアップリンク目標受信ノードとして低電力ノードを選択することが依然としてできる。さらに、低電力ノード及びマクロ基地局にSRS信号を送信する場合、データ受信の正確さ及び消費電力の効率を確保するように、正確な電力制御も必要となる。
【００４５】
元のアップリンク電力制御は、ダウンリンク送信ポイントの経路損失により処理される。それがCoMPシナリオ４（複数の送信ポイントからの同じ信号が統合される）であると、ダウンリンクチャンネル品質推定は間違いなく高すぎることにより、経路損失補償電力が低すぎ、アップリンク信号の受信品質が低下される。一方、CoMPシナリオ３においてアップリンク送信電力が低電力ノードのダウンリンク干渉により大きくなると、低電力ノード上の干渉がさらに大きくなる。
【００４６】
本発明の発明者は、周波数間測定の補償に基づきPUSCH及びPUCCHのアップリンク電力制御の調整パラメータを導出することにより、アップリンクデータ全体の伝送結果を最適化することを提出する。
【００４７】
また、LTE／LTE-A TDDシステムにおいて、SRSは、アップリンク送信のタイミング前進の確定に用いられるとともに、アップリンクチャンネルとダウンリンクチャンネルとの相反性の特徴によりダウンリンクチャンネル品質の推定にも用いられる。前者の送信電力は受信ノードの集めによって決定されるが、後者の送信電力は送信ノードの集めによって決定される。発明者が既知のように、標準化作業のリスクを最小化させるように、SRSの電力制御数値の範囲を大きくすることにより微調整がされてもよい。発明者は、これらのシナリオにおいてアップリンク電力制御の最適化問題を解決する統一の解決案が要求されると認識している。
【００４８】
図４は本発明実施例に係るアップリンク電力制御の経路補償の方法を示す。図４に示す方法は、マクロ基地局及び低電力ノードは少なくとも第１のコンポーネントキャリアにおいて多地点協調伝送を行うとともに低電力ノードは少なくとも第２のコンポーネントキャリアを介してユーザ機器と通信する状況に適する。
【００４９】
図４に示すように、ステップS４１０では、低電力ノードが第２のコンポーネントキャリアにおいてダウンリンク信号をユーザ機器に単独に伝送するときに発生する単独のダウンリンク経路損失を参照して、低電力ノードが第１のコンポーネントキャリアにおいてユーザ機器のために多地点協調伝送するときの協調ダウンリンク経路損失を推定する。
【００５０】
低電力ノードがセル固有参照信号（CRS）を単独で伝送するときの送信電力およびリニアに検出された低電力ノードのセル固有参照信号（CRS）の参照信号受信電力（RSRP）により、単独のダウンリンク経路損失を取得しても良い。
【００５１】
そして、ステップS４２０では、アップリンク信号の伝送電力補償を行うように、協調ダウンリンク経路損失に基づき、第１のコンポーネントキャリアにおいて低電力ノードを目標受信ノードとするユーザ機器により出されるアップリンク信号のアップリンク経路損失を推定する。
【００５２】
2016524404.tif 000041
【００５３】
2016524404.tif 000042
【００５４】
2016524404.tif 000043
【００５５】
これにより、周波数間測定の補償に基づき、低電力ノードを目標受信ノードとしてのアップリンク信号のアップリンク電力制御調整パラメータを導出することが完了され、アップリンクデータ全体の伝送結果が最適化される。ここで、アップリンク信号は、PUSCH、PUCCH及びSRSを備えてもよい。
【００５６】
具体的な電力補償方法について、アップリンク信号がPUSCHである場合、例えば、下記の式（２）で補償してもよい。
【数２】
2016524404.tif 000044
式中、Pは、PUSCHの閉ループ電力（即ち、端末がPUSCH信号を送信するために提供する電力）を表し、
Pmaxは最大電力を表し、
Mは資源ブロック（RB）の数を表し、
P０_PUSCH(j)は、ハイレベルシグナリングに設置される電力参照値を表し、アップリンク受信端末の騒音レベルを反映するものであり、
α(j)は、経路損失補償係数を表し、
PLは、本発明の方法により推定されるアップリンク経路損失を表し、
ΔTFは、電力オフセットを表し、
f(i)は調整値を表す。
【００５７】
アップリンク信号はPUCCHである場合、例えば、下記の式（３）で補償してもよい。
【数３】
2016524404.tif 000045
式中、Pは、PUCCHの閉ループ電力（即ち、端末がPUCCH信号を送信するために提供する電力）を表し、
Pmaxは最大電力を表し、
P０_PUSCH(j)は、ハイレベルシグナリングに設置される電力参照値を表し、アップリンク受信端末の騒音レベルを反映するものであり、
PLは、本発明の方法に推定されるアップリンク経路損失を表し、
h(nCQI, nHARQ)はPUCCHの送信電力のオフセットを表し、
ΔF_PUCCH(F)は、もう１つの種類のPUCCHの送信電力の電力オフセットを表し、
g(i)は調整値を表す。
【００５８】
アップリンク信号がSRSである場合、例えば、下記の式（４）で補償してもよい。
【数４】
2016524404.tif 000046
式中、PはSRSの閉ループ電力（即ち、端末がSRS信号を送信するために提供する電力である）を表し、
Pmaxは最大電力を表し、
PSRS_OFFSETは、SRSのための電力オフセットを表し、
MSRSは、SRSに要求される資源ブロックの数を表し、
P０_PUSCH(j)は、ハイレベルシグナリングに設置される電力参照値を表し、アップリンクの受信端末の騒音レベルを反映するものであり、
α(j)は、経路損失補償係数を表し、
PLは、本発明の方法により推定されるアップリンク経路損失を表し、
ΔTFは電力オフセットを表し、
f(i)は調整値を表す。
【００５９】
上記式（２）〜（４）はそれぞれPUSCH、PUCCH及びSRSの閉ループ電力の制御式である。開ループ電力制御について、下記の式（５）で電力補償を行ってもよい。
【数５】
2016524404.tif 000047
式中、PSDTXは開ループ電力を表し、
P０はハイレベルシグナリングに設置される電力参照値を表し、アップリンク受信端末の騒音レベルを反映するものであり、
Αは経路損失補償係数を表し、
PLは本発明の方法により推定されるアップリンク経路損失を表す。
【００６０】
以上のように、低電力ノードを目標受信ノードとしてのアップリンク信号のアップリンク電力制御調整パラメータの導出を説明した。マクロ基地局を目標受信ノードとする場合、アップリンク信号のアップリンク電力制御調整パラメータの導出も行われる。
【００６１】
本発明の実施例によれば、低電力ノードの協調ダウンリンク経路損失に基づき、マクロ基地局が第１のコンポーネントキャリア上でユーザ機器のために多地点協調伝送をするときの協調ダウンリンク経路損失を推定することができる。
【００６２】
具体的に、例えば、低電力ノードが第１のコンポーネントキャリアにおいてユーザ機器のために多地点協調伝送モードでセル固有参照信号（CRS）、データ又はチャンネル状態情報参照信号（CSI-RS）を伝送する時の送信電力、及び低電力ノードの協調ダウンリンク経路損失により、低電力ノードの受信電力が得られる。
【００６３】
さらに、リニアに検出される低電力ノード及びマクロ基地局のCRSのRSRPとともに低電力ノードの受信電力により、マクロ基地局の受信電力が得られる。
【００６４】
さらに、マクロ基地局が第１のコンポーネントキャリアにおいてユーザ機器のために多地点協調伝送のモードでCRSを伝送する時の送信電力、及びマクロ基地局の受信電力により、マクロ基地局の協調ダウンリンク経路損失が得られる。
【００６５】
次に、アップリンク信号伝送電力補償を行うように、マクロ基地局の協調ダウンリンク経路損失に基づき、第１のコンポーネントキャリアにおいてマクロ基地局を目標受信ノードとするユーザ機器により出されるアップリンク信号のアップリンク経路損失が得られる。
【００６６】
ここで、アップリンク信号は、同じようにPUSCH、PUCCH及びSRSを備えてもよい。勿論、上述のように、アップリンク信号の分路を実現するために、アップリンクプライマリコンポーネントキャリアのみで伝送されるPUCCH信号及びPUSCH信号の全てが低電力ノードに伝送されると、アップリンクチャンネルとダウンリンクチャンネルとの相反性によりマクロ基地局のダウンリンクチャンネルの品質を推定するように、マクロ基地局を目標受信ノードとするアップリンク信号はSRS信号のみを備えてもよい。
【００６７】
2016524404.tif 000048
【００６８】
2016524404.tif 000049
【００６９】
2016524404.tif 000050
【００７０】
2016524404.tif 000051
【００７１】
2016524404.tif 000052
【００７２】
2016524404.tif 000053
【００７３】
2016524404.tif 000054
【００７４】
2016524404.tif 000055
【００７５】
2016524404.tif 000056
【００７６】
2016524404.tif 000057
【００７７】
2016524404.tif 000058
【００７８】
2016524404.tif 000059
【００７９】
2016524404.tif 000060
【００８０】
2016524404.tif 000061
【００８１】
2016524404.tif 000062
【００８２】
上記式（８）では、マクロ基地局の受信電力と低電力ノードの受信電力との記号はプラスからマイナスに変更される以外に、何の変更もない。
【００８３】
2016524404.tif 000063
【００８４】
2016524404.tif 000064
【００８５】
2016524404.tif 000065
【００８６】
2016524404.tif 000066
【００８７】
2016524404.tif 000067
【００８８】
2016524404.tif 000068
【００８９】
2016524404.tif 000069
【００９０】
2016524404.tif 000070
【００９１】
2016524404.tif 000071
【００９２】
本発明の実施例によれば、異質ネットワークのシナリオでは、低電力送信ノードとマクロ基地局との間に共通ベースバンド処理が行われる場合、基地局間のキャリアアグリゲーションを行うとき、アップリンクPUCCH／PUSCH伝送をできるだけ低電力送信ノードの集合されるキャリアで伝送する。マクロ基地局ノードと低電力ノードとの間に多地点協調伝送が行われ、且つアップリンクデータ伝送（PUCCH、PUSCH、SRS等を含む）が必要となる場合、さらに正確なアップリンク電力制御を行うように、低電力ノードがキャリアを単独で伝送する経路損失を参照して、多点伝送周波数帯で低電力ノードの経路損失を推定することにより、マクロ基地局ノード及び低電力ノードのアップリンク電力制御の経路損失補償値を得る。
【００９３】
以下、図６を組み合わせて本発明実施例に係る無線通信システムを説明する。図６に示すように、本発明実施例に係る無線通信システム１００は、マクロ基地局２１０、低電力ノード２２０及び無線通信装置３００を備える。低電力ノード２２０及びマクロ基地局２１０は共通ベースバンドであり、無線通信装置３００は、複数のコンポーネントキャリアを介して低電力ノード２２０及びマクロ基地局２１０と通信してもよい。
【００９４】
無線通信装置３００は受信ユニット３１０、伝送ユニット３２０及び制御ユニット３３０等を備えてもよい。
【００９５】
受信ユニット３１０は、低電力ノード２２０及びマクロ基地局２１０に伝送されるダウンリンク信号を受信するものであってもよい。
【００９６】
伝送ユニット３２０は、低電力ノード２２０及びマクロ基地局２１０にアップリンク信号を伝送するものであってもよい。
【００９７】
制御ユニット３３０は、アップリンク信号のうち全ての第１のアップリンク信号を受信ノードとしての低電力ノード２２０に伝送するように伝送ユニット３２０を制御するものであってもよい。
【００９８】
ここで、第１のアップリンク信号はPUCCH信号及び／又はPUSCH信号を備えてもよい。
【００９９】
低電力ノード２２０とマクロ基地局２１０との間でキャリアアグリゲーションを行ってもよく、且つマクロ基地局２１０はマクロ基地局２１０のダウンリンクコンポーネントキャリアをダウンリンクプライマリコンポーネントキャリアに設置してもよい。
【０１００】
低電力ノード２２０とマクロ基地局２１０との間でキャリアアグリゲーションを行う場合、制御ユニット３３０は、アップリンクプライマリコンポーネントキャリアとダウンリンクプライマリコンポーネントキャリアとの間の関連を解除してもよい。
【０１０１】
FDDモードでは、制御ユニット３３０は、低電力ノード２２０のアップリンクコンポーネントキャリアをアップリンクプライマリコンポーネントキャリアに設置してもよい。
【０１０２】
無線通信システム１００はTDDシステムであってもよい。このとき、ダウンリンクプライマリコンポーネントキャリアの伝送機能はマクロ基地局２１０のコンポーネントキャリアのダウンリンクタイムスロットにより実行されてもよく、アップリンクプライマリコンポーネントキャリアの伝送機能は、低電力ノード２２０のコンポーネントキャリアのアップリンクタイムスロットにより実行されてもよい。
【０１０３】
マクロ基地局２１０は、RRCシグナリング、MACシグナリング又は物理層のDCIを介して、低電力ノード２２０でのアップリンクプライマリコンポーネントキャリア、或いは、アップリンクプライマリコンポーネントキャリアとダウンリンクプライマリコンポーネントキャリアとの間の関連を回復することを無線通信装置３００に通知してもよい。
【０１０４】
受信ユニット３１０は、低電力ノード２２０でのアップリンクプライマリコンポーネントキャリアを知るように、RRCシグナリング、MACシグナリング又は物理層のDCIを受信してもよい。その代わり、無線通信装置３００が低電力ノード２２０で複数のコンポーネントキャリアを集合し、マクロ基地局２１０がこれらのコンポーネントキャリアにおいて動作しない場合に、制御ユニット３３０は、低電力ノード２２０でのアップリンクプライマリコンポーネントキャリアとして、これらのコンポーネントキャリアのうち最高又は最低の周波数ポイントを有するコンポーネントキャリアをデフォルトに選択してもよい。
【０１０５】
低電力ノード２２０とマクロ基地局２１０との間のキャリアアグリゲーションが終了すると、受信ユニット３１０は、アップリンクプライマリコンポーネントキャリアとダウンリンクプライマリコンポーネントキャリアとの間の関連を回復することを知るように、RRCシグナリング、MACシグナリング又は物理層のDCIを受信してもよい。その代わり、制御ユニット３３０は、アップリンクプライマリコンポーネントキャリアとダウンリンクプライマリコンポーネントキャリアとの間の関連をデフォルトに回復してもよい。アップリンクプライマリコンポーネントキャリアとダウンリンクプライマリコンポーネントキャリアとの間の関連を回復した後、マクロ基地局２１０のアップリンクコンポーネントキャリアは、アップリンクプライマリコンポーネントキャリアに設置されてもよい。
【０１０６】
マクロ基地局２１０及び低電力ノード２２０は、第１のコンポーネントキャリアにおいて多地点協調伝送を行ってもよく、低電力ノード２２０は、第２のコンポーネントキャリアを介して無線通信装置３００と通信してもよい。この場合、無線通信装置３００は、低電力ノード２２０又はマクロ基地局２１０を目標受信ノードとする無線通信装置３００により出されるアップリンク信号のアップリンク経路損失を推定する推定ユニット３４０をさらに備えてもよく、これにより、アップリンク信号伝送電力補償が行われる。
【０１０７】
具体的に、推定ユニット３４０は、低電力ノード２２０が第２のコンポーネントキャリアにおいて無線通信装置３００のためにダウンリンク信号を単独で伝送する時に発生する単独のダウンリンク経路損失を参照して、低電力ノード２２０が第１のコンポーネントキャリアにおいて無線通信装置３００のために多地点協調伝送を行う時の協調ダウンリンク経路損失を推定することに用いられる。そして、低電力ノード２２０の協調ダウンリンク経路損失に基づき、推定ユニット３４０は、アップリンク信号伝送電力補償を行うように、低電力ノード２２０を目標受信ノードとする無線通信装置３００により出されるアップリンク信号のアップリンク経路損失を推定してもよい。
【０１０８】
さらに、推定ユニット３４０は、低電力ノード２２０の協調ダウンリンク経路損失に基づき、マクロ基地局２１０が第１のコンポーネントキャリアにおいて無線通信装置３００のために多地点協調伝送を行う時の協調ダウンリンク経路損失を推定することにも用いられる。そして、マクロ基地局２１０の協調ダウンリンク経路損失に基づき、推定ユニット３４０は、アップリンク信号伝送電力補償を行うように、マクロ基地局２１０を目標受信ノードとする無線通信装置３００により出されるアップリンク信号のアップリンク経路損失をさらに推定してもよい。
【０１０９】
本発明実施例に係る無線通信システムの上記各ユニットの各種の具体的な実施形態は上述のように詳しく説明されたため、ここで重複に説明しない。
【０１１０】
当然ながら、本発明に係る無線通信システムにおいて無線通信を行う方法の各操作過程は、各種の機械可読な記憶媒体に記憶されるコンピュータ実行可能なプログラムとして実現されてもよい。
【０１１１】
さらに、本発明の目的は、上記実行可能なプログラムコードを記憶する記憶媒体をシステム又は機器に直接又は間接に提供し、且つ該システム又は機器におけるコンピュータ又は中央処理ユニット（CPU）が上記プログラムコードを読み出して実行するように実現されてもよい。このとき、該システム又は機器がプログラムを実行する機能を有すればよく、本発明の実施形態はプログラムに限らない。さらに、該プログラムは、例えば、オブジェクトプログラム、インタープリターに実行されるプログラム、或いはオペレーティングシステムに提供されるスクリプトプログラム等の任意の形式であってもよい。
【０１１２】
上記機械可読な記憶媒体は、各種の記憶装置及び記憶ユニット、半導体装置、ディスクユニット（例えば、光ディスク、磁気ディスク、光磁気ディスク）及び情報を記憶する他の媒体などを含んでもよいが、それらに限らない。
【０１１３】
また、コンピュータはインターネットの対応するウェブサイトにアクセスするとともに、本発明によるコンピュータプログラムコードをコンピュータにダウンロードしてインストールしてから、該プログラムを実行することにより、本発明の技術案も実現される。
【０１１４】
図７は本発明実施例に係る無線通信システムにおいて無線通信を行う方法を実現可能な汎用パーソナルコンピューターの例示的な構造を示すブロック図である。
【０１１５】
図７に示すように、CPU １３０１は、読取専用記憶媒体(ROM)１３０２に記憶されるプログラム又は記憶部１３０８からランダムアクセスメモリ(RAM)１３０３にローディングされるプログラムにより各種の処理を実行する。RAM １３０３は、必要に応じてCPU １３０１が各種の処理等を実行する場合に必要なデータをも記憶する。CPU １３０１、ROM １３０２及びRAM １３０３はバス１３０４を介して互いに接続される。入力／出力インタフェース１３０５もバス１３０４に接続される。
【０１１６】
入力部１３０６（キーボード、マウス等を含む）、出力部１３０７（例えば、陰極線管（CRT）、液晶ディスプレイ（LCD）等のディスプレイ、スピーカー等を含む）、記憶部１３０８（ハードウェア等を含む）、通信部１３０９（ネットワークインタフェースカード、例えば、LANカード、モデム等を含む）は、入力／出力インタフェース１３０５に接続される。通信部分１３０９は、ネットワーク、例えば、インターネットを介して通信処理を実行する。駆動装置１３１０は必要に応じて入力／出力インタフェース１３０５に接続されてもよい。リムーバブルメディア１３１１、例えば、磁気ディスク、光ディスク、光磁気ディスク、半導体メモリ等は、必要に応じて駆動装置１３１０に実装され、これにより、それから読み出されるコンピュータプログラムは必要に応じて記憶部１３０８にインストールされる。
【０１１７】
ソフトウェアにより上記一連の処理を実現する場合、ネットワーク、例えば、インターネット、或いは、記憶媒体、例えば、リムーバブルメディア１３１１からソフトウェアを構成するプログラムをインストールする。
【０１１８】
ここで、このような記憶媒体は、図７に示すプログラムが記憶され、ユーザにプログラムを提供するように装置から分離して配信するリムーバブルメディア１３１１に限らない。リムーバブルメディア１３１１は、例えば、磁気ディスク（フロッピーディスクを含む）、光ディスク（光ディスク読取専用記憶媒体（CD-ROM）及びデジタル多用途ディスク（DVD））、光磁気ディスク（ミニディスク（MD）（登録商標）を含む）及び半導体メモリを含む。或いは、記憶媒体は、ROM１３０２、記憶部１３０８に含まれるハードディスク等であってもよく、プログラムを記憶しており、それらを含む装置とともにユーザに配信される。
【０１１９】
（１）無線通信システムにおいて無線通信を行なう方法であって、前記無線通信システムは共通ベースバンドの低電力ノード及びマクロ基地局、並びに複数のコンポーネントキャリアを介して前記低電力ノード及び前記マクロ基地局と通信するユーザ機器を備え、前記方法は、前記ユーザ機器により前記低電力ノード及び前記マクロ基地局に伝送されるダウンリンク信号を受信するステップと、前記低電力ノード及び前記マクロ基地局にアップリンク信号を伝送するステップとを備え、前記方法は、前記アップリンク信号のうち全ての第１のアップリンク信号を受信ノードとしての前記低電力ノードに送信するステップをさらに備える。
【０１２０】
（２）前記第１のアップリンク信号は、物理アップリンク制御チャンネル（PUCCH）信号及び／又は物理アップリンク共有チャネル（PUSCH）信号を備える（１）に記載の方法。
【０１２１】
前記低電力ノードと前記マクロ基地局との間でキャリアアグリゲーションを行い、前記マクロ基地局は前記マクロ基地局のダウンリンクコンポーネントキャリアをダウンリンクプライマリコンポーネントキャリアとして設置する（１）又は（２）に記載の方法。
【０１２２】
（４）アップリンクプライマリコンポーネントキャリアと前記ダウンリンクプライマリコンポーネントキャリアとの間の関連を解除するステップをさらに備える（１）〜（３）の何れか１つに記載の方法。
【０１２３】
（５）前記無線通信システムは周波数分割複信（FDD）システムであり、前記方法は、前記低電力ノードのアップリンクコンポーネントキャリアを前記アップリンクプライマリコンポーネントキャリアとして設置するステップをさらに備える（１）〜（４）の何れか１つに記載の方法。
【０１２４】
（６）前記無線通信システムは時分割複信（TDD）システムであり、前記ダウンリンクプライマリコンポーネントキャリアの伝送機能は、前記マクロ基地局のコンポーネントキャリアのダウンリンクタイムスロットで実行され、前記アップリンクプライマリコンポーネントキャリアの伝送機能は、前記低電力ノードのコンポーネントキャリアのアップリンクタイムスロットで実行される（１）〜（４）の何れか１つに記載の方法。
【０１２５】
（７）無線資源制御（RRC）シグナリング、メディアアクセス制御（MAC）シグナリング又は物理層のダウンリンク制御情報（DCI）を受信することにより、前記低電力ノード上のアップリンクプライマリコンポーネントキャリアを知るステップをさらに備える（４）〜（６）の何れか１つに記載の方法。
【０１２６】
（８）前記ユーザ機器が前記低電力ノードで複数のコンポーネントキャリアを集合するとともに前記マクロ基地局が前記複数のコンポーネントキャリアにおいて動作しない場合、前記方法は、RRCシグナリング、MACシグナリング又は物理層のDCIを介して前記低電力ノード上のアップリンクプライマリコンポーネントキャリアを知るステップ、或いは、前記低電力ノードでのアップリンクプライマリコンポーネントキャリアとして前記複数のコンポーネントキャリアから最高又は最低の周波数ポイントを有するコンポーネントキャリアをデフォルトに選択するステップをさらに備える（４）〜（７）の何れか１つに記載の方法。
【０１２７】
（９）前記低電力ノードと前記マクロ基地局との間のキャリアアグリゲーションが終了すると、前記方法は、RRCシグナリング、MACシグナリング又は物理層のDCIを受信することにより、前記アップリンクプライマリコンポーネントキャリアと前記ダウンリンクプライマリコンポーネントキャリアとの間の関連の回復を知るステップ、或いは、前記アップリンクプライマリコンポーネントキャリアと前記ダウンリンクプライマリコンポーネントキャリアとの間の関連をデフォルトに回復するステップをさらに備え、前記アップリンクプライマリコンポーネントキャリアと前記ダウンリンクプライマリコンポーネントキャリアとの間の関連を回復した後、前記マクロ基地局のアップリンクコンポーネントキャリアは前記アップリンクプライマリコンポーネントキャリアに設置される（４）〜（７）の何れか１つに記載の方法。
【０１２８】
（１０）前記マクロ基地局及び前記低電力ノードは少なくとも第１のコンポーネントキャリアにおいて多地点協調（CoMP）伝送を行い、前記低電力ノードは、少なくとも第２のコンポーネントキャリアを介して前記ユーザ機器と通信する（１）〜（９）の何れか１つに記載の方法。
【０１２９】
（１１）前記低電力ノードが前記第２のコンポーネントキャリアにおいて前記ユーザ機器のためにダウンリンク信号を単独で伝送する時に発生する単独のダウンリンク経路損失を参照して、前記低電力ノードが前記第１のコンポーネントキャリアにおいて前記ユーザ機器のためにCoMP伝送を行う時の第１の協調ダウンリンク経路損失を推定するステップと、アップリンク信号伝送電力補償を行なうように、前記第１の協調ダウンリンク経路損失に基づき、前記第１のコンポーネントキャリアにおいて前記低電力ノードを目標受信ノードとする前記ユーザ機器により出されるアップリンク信号の第１のアップリンク経路損失を推定するステップと、をさらに備える（１）〜（１０）の何れか１つに記載の方法。
【０１３０】
（１２）前記低電力ノードがセル固有参照信号（CRS）を単独で伝送する時の送信電力、及びリニアに検出される前記低電力ノードのCRSの参照信号受信電力（RSRP）に基づき、前記単独のダウンリンク経路損失を取得する（１）〜（１１）の何れか１つに記載の方法。
【０１３１】
（１３）前記第１の協調ダウンリンク経路損失に基づき、前記マクロ基地局が前記第１のコンポーネントキャリアにおいて前記ユーザ機器のためにCoMP伝送を行なうときの第２の協調ダウンリンク経路損失を推定するステップと、アップリンク信号伝送電力補償を行なうように、前記第２の協調ダウンリンク経路損失に基づき、前記第１のコンポーネントキャリアにおいて前記マクロ基地局を目標受信ノードとする前記ユーザ機器により出されるアップリンク信号の第２のアップリンク経路損失を推定するステップと、をさらに備える（１２）に記載の方法。
【０１３２】
（１４）前記低電力ノードが前記第１のコンポーネントキャリアにおいて前記ユーザ機器のためにCoMP伝送モードでCRS、データ又はチャンネル状態情報参照信号（CSI-RS）を伝送する時の送信電力、及び前記第１の協調ダウンリンク経路損失に応じて、第１の受信電力を取得し、リニアに検出される前記低電力ノード及び前記マクロ基地局のCRSのRSRP及び前記第１の受信電力に基づき、第２の受信電力を取得し、前記マクロ基地局は前記第１のコンポーネントキャリアにおいて前記ユーザ機器のためにCoMP伝送モードで前記CRSを伝送する時の送信電力及び前記第２の受信電力に基づき、前記第２の協調ダウンリンク経路損失を取得する（１３）に記載の方法。
【０１３３】
（１５）前記マクロ基地局を目標受信ノードとする前記ユーザ機器により出されるアップリンク信号は、サウンディング参照信号（SRS）を含む（１３）又は（１４）に記載の方法。
【０１３４】
（１６）無線通信装置であって、複数のコンポーネントキャリアを介して共通ベースバンドの低電力ノード及びマクロ基地局と通信するものであり、前記無線通信装置は、前記低電力ノード及び前記マクロ基地局に伝送されるダウンリンク信号を受信する受信ユニットと、前記低電力ノード及び前記マクロ基地局にアップリンク信号を伝送する伝送ユニットと、前記アップリンク信号のうち全ての第１のアップリンク信号を受信ノードとする前記低電力ノードに伝送するように前記伝送ユニットを制御する制御ユニットと、を備える。
【０１３５】
（１７）前記第１のアップリンク信号はPUCCH信号及び／又はPUSCH信号を含む（１６）に記載の無線通信装置。
【０１３６】
（１８）前記低電力ノードと前記マクロ基地局との間でキャリアアグリゲーションを行なう場合に、前記制御ユニットは、アップリンクプライマリコンポーネントキャリアとダウンリンクプライマリコンポーネントキャリアとの間の関連を解除する（１６）又は（１７）に記載の無線通信装置。
【０１３７】
（１９）前記制御ユニットは、前記低電力ノードのアップリンクコンポーネントキャリアを前記アップリンクプライマリコンポーネントキャリアとして設置する（１６）〜（１８）の何れか１つに記載の無線通信装置。
【０１３８】
（２０）前記受信ユニットは、前記低電力ノードでのアップリンクプライマリコンポーネントキャリアを知るか、或いは、前記アップリンクプライマリコンポーネントキャリアと前記ダウンリンクプライマリコンポーネントキャリアとの間の関連を回復するように、RRCシグナリング、MACシグナリング又は物理層のDCIを受信する（１６）〜（１９）の何れか１つに記載の無線通信装置。
【０１３９】
（２１）前記無線通信装置は前記低電力ノードで複数のコンポーネントキャリアを集合するとともに前記マクロ基地局は前記複数のコンポーネントキャリアにおいて動作しない場合に、前記制御ユニットは、前記低電力ノードでのアップリンクプライマリコンポーネントキャリアとして、前記複数のコンポーネントキャリアから最高又は最低の周波数ポイントを有するコンポーネントキャリアをデフォルトに選択する（１６）〜（２０）の何れか１つに記載の無線通信装置。
【０１４０】
（２２）前記低電力ノードと前記マクロ基地局との間のキャリアアグリゲーションが終了する場合に、前記制御ユニットは、前記アップリンクプライマリコンポーネントキャリアと前記ダウンリンクプライマリコンポーネントキャリアとの間の関連をデフォルトに回復する（１６）〜（２０）の何れか１つに記載の無線通信装置。
【０１４１】
（２３）前記マクロ基地局及び前記低電力ノードは第１のコンポーネントキャリアにおいてCoMP伝送を行なうとともに、前記低電力ノードが第２のコンポーネントキャリアを介して前記無線通信装置と通信する場合、前記無線通信装置は、推定ユニットをさらに備え、前記推定ユニットは、前記低電力ノードが前記第２のコンポーネントキャリアにおいて前記無線通信装置のためにダウンリンク信号を単独で伝送するときに発生する単独のダウンリンク経路損失を参照して、前記低電力ノードが前記第１のコンポーネントキャリアにおいて前記無線通信装置のためにCoMP伝送を行なう時の第１の協調ダウンリンク経路損失を推定するとともに、アップリンク信号伝送電力補償を行なうように、前記第１の協調ダウンリンク経路損失に基づき、前記低電力ノードを目標受信ノードとする前記無線通信装置により出されるアップリンク信号の第１のアップリンク経路損失を推定するように配置される（１６）に記載の無線通信装置。
【０１４２】
（２４）前記推定ユニットは、さらに、前記第１の協調ダウンリンク経路損失に基づき、前記マクロ基地局が前記第１のコンポーネントキャリアにおいて前記無線通信装置のためにCoMP伝送を行なう時の第２の協調ダウンリンク経路損失を推定するととともに、アップリンク信号伝送電力補償を行なうように、前記第２の協調ダウンリンク経路損失に基づき、前記マクロ基地局を目標受信ノードとする前記無線通信装置により出されるアップリンク信号の第２のアップリンク経路損失を推定する（２３）に記載の無線通信装置。
【０１４３】
（２５）無線通信システムであって、マクロ基地局と、前記マクロ基地局と共通のベースバンドにある低電力ノードと、複数のコンポーネントキャリアを介して前記低電力ノード及び前記マクロ基地局と通信する（１６）〜（２４）のいずれか１項に記載の無線通信装置と、を備える。
【０１４４】
（２６）前記マクロ基地局は、RRCシグナリング、MACシグナリング又は物理層のDCIを介して、前記低電力ノードでのアップリンクプライマリコンポーネントキャリア、或いはアップリンクプライマリコンポーネントキャリアとダウンリンクプライマリコンポーネントキャリアとの間の関連の回復を前記無線通信装置に通知する（２５）に記載の無線通信システム。
【０１４５】
（１）通信システムで動作する通信装置であって、前記通信システムは互いに共通ベースバンドにある第１のノード及び第２のノードを備え、前記通信装置は、前記第１のノードと前記第２のノードとの間のキャリアアグリゲーションを招くように配置される回路を備え、前記第１のノード及び前記第２のノードは互いに共通ベースバンドであり、前記キャリアアグリゲーションは、前記第１のノードと関連するダウンリンクコンポーネントキャリアをダウンリンクプライマリコンポーネントキャリアとして設置すること、及び前記第２のノードと関連するアップリンクコンポーネントキャリアをアップリンクプライマリコンポーネントキャリアとして設置することとを含む。
【０１４６】
（２）前記キャリアアグリゲーションは、前記回路を用いて前記第２のノードと関連する前記アップリンクプライマリコンポーネントキャリアを介してアップリンク制御シグナリング及びデータパケットの少なくとも１つを伝送することを含む（１）に記載の装置。
【０１４７】
（３）前記キャリアアグリゲーションは、前記アップリンクコンポーネントキャリアを上記のように設置する前に、前記ダウンリンクプライマリコンポーネントキャリアと前記アップリンクプライマリコンポーネントキャリアとの間の関連を解除することを含む（１）又は（２）に記載の装置。
【０１４８】
（４）前記第１のノードはマクロ基地局であり、前記第２のノードは低電力ノード（LPN）である（１）〜（３）の何れか１つに記載の装置。
【０１４９】
（５）前記第１のノードは第１の周波数で動作し、前記第２のノードは前記第１の周波数よりも大きい第２の周波数で動作する（１）〜（４）の何れか１つに記載の装置。
【０１５０】
（６）前記キャリアアグリゲーションは、前記装置と前記第１のノードとの間の伝送を制御するように、前記回路を用いて、前記第２のノードと関連する前記アップリンクプライマリコンポーネントキャリアを介してアップリンク制御シグナリングを伝送することを含む（１）及び（３）〜（５）の何れか１つに記載の装置。
【０１５１】
（７）前記キャリアアグリゲーションは、前記回路により、無線資源制御（RRC）シグナリング、メディアアクセス制御（MAC）シグナリング、又は物理層シグナリングの１つを介して、前記アップリンクプライマリコンポーネントキャリアに関する指定情報を受信することを含む（１）〜（６）の何れか１つに記載の装置。
【０１５２】
（８）前記キャリアアグリゲーションは、前記第２のノードに用いる複数のコンポーネントキャリアを集合することと、前記回路により、無線資源制御（RRC）シグナリング、メディアアクセス制御（MAC）シグナリング、又は物理層シグナリングの１つを介して前記アップリンクプライマリコンポーネントキャリアの指定に関する情報を受信することを含む（１）〜（６）の何れか１つに記載の装置。
【０１５３】
（９）前記キャリアアグリゲーションは、前記回路を用いて、前記第２のノードに関連する前記アップリンクプライマリコンポーネントキャリアを介して物理アップリンク制御チャンネル（PUCCH）信号及び物理アップリンク共有チャネル（PUSCH）信号の中の少なくとも１つを送信することを含む（１）〜（８）の何れか１つに記載の装置。
【０１５４】
（１０）前記キャリアアグリゲーションは、前記回路を用いて、前記第２のノードと関連する前記アップリンクプライマリコンポーネントキャリアを介して、全てのアップリンク制御シグナリングを送信する（１）〜（８）の何れか１つに記載の装置。
【０１５５】
（１１）無線通信方法であって、プロセッサーを用いて第１のノードと第２のノードとの間でキャリアアグリゲーションを行うステップを備え、前記第１のノードと前記第２のノードとは互いに共通ベースバンドであり、前記キャリアアグリゲーションは、前記第１のノードと関連するダウンリンクコンポーネントキャリアをダウンリンクプライマリコンポーネントキャリアとして設置することと、前記第２のノードと関連するアップリンクコンポーネントキャリアをアップリンクプライマリコンポーネントキャリアとして設置することとを含む。
【０１５６】
（１２）前記キャリアアグリゲーションは、前記プロセッサーと前記第１のノードとの間の伝送を制御するように、前記第２のノードと関連する前記アップリンクプライマリコンポーネントキャリアを介してアップリンク制御シグナリングを送信することを含む（１１）に記載の無線通信方法。
【０１５７】
（１３）前記キャリアアグリゲーションは、無線資源制御（RRC）シグナリング、メディアアクセス制御（MAC）シグナリング、又は物理層のシグナリングの１つを介して前記アップリンクプライマリコンポーネントキャリアに関する指定情報を受信する（１１）又は（１２）に記載の無線通信方法。
【０１５８】
（１４）第１のコンポーネントキャリアにおいて第１の周波数で第１のノード及び第２のノードの多地点協調（CoMP）伝送用のアップリンク伝送電力を制御する無線通信装置であって、第２のコンポーネントキャリアにおいて前記第１の周波数と異なる第２の周波数で前記第２のノードからのダウンリンク信号を受信し、前記第２のコンポーネントキャリアにおいて前記第２の周波数で前記第２のノードからの前記ダウンリンク信号の受信に関連する第１のダウンリンク経路損失を確定し、確定された第１のダウンリンク経路損失に基づき、前記第１のコンポーネントキャリアにおいて前記第１の周波数で前記CoMP伝送を行なう前記第２のノードに関連する第２のダウンリンク経路損失を推定するとともに、前記CoMP伝送用のアップリンク信号伝送電力を補償するように、推定された第２のダウンリンク経路損失に基づき、前記第１のコンポーネントキャリアにおいて前記第１の周波数で前記装置から前記第２のノードへ出力する第１のアップリンク信号の第１のアップリンク経路損失を推定するように配置される回路を備える。
【０１５９】
（１５）前記アップリンク信号は物理アップリンク制御チャンネル（PUCCH）信号、物理アップリンク共有チャネル（PUSCH）信号及びサウンディング参照信号（SRS）のうちの１つである（１４）に記載の装置。
【０１６０】
（１６）前記回路は、前記第１のアップリンク経路損失に基づき、前記第１のコンポーネントキャリアにおいて前記第１の周波数で前記第２のノードへのCoMP伝送用のアップリンク信号伝送電力を補償するように配置される（１４）又は（１５）に記載の装置。
【０１６１】
（１７）前記回路は、前記第１のコンポーネントキャリアにおいて前記第１の周波数で前記第１のノードからのダウンリンク信号の受信に関連する第３のダウンリンク経路損失の確定、及び前記第３のダウンリンク経路損失に基づき前記第１のコンポーネントキャリアにおいて前記第１の周波数で前記装置から前記第１のノードへ出力する第２のアップリンク信号の第２のアップリンク経路損失の確定に基づき、第１のコンポーネントキャリアにおいて前記第１の周波数で前記第１のノードへのCoMP伝送用のアップリンク信号伝送電力を補償する（１４）〜（１６）の何れか１つに記載の装置。
【０１６２】
（１８）前記第１のノード及び前記第２のノードの前記CoMP伝送はCoMPシナリオ４により、リニアに検出される前記第１のノード及び前記第２のノードのセル固有参照信号の参照信号受信電力を、前記第２のノードに関連する受信電力に加算することにより、前記第１のノードに関連する受信電力を取得する（１４）〜（１７）の何れか１つに記載の装置。
【０１６３】
（１９）前記第１のノード及び前記第２のノードの前記CoMP伝送はCoMPシナリオ３により、前記第２のノードに関連する受信電力から、リニアに検出される前記第１のノード及び前記第２のノードのセル固有参照信号の参照信号受信電力を減算することにより、前記第１のノードに関連する受信電力を取得する（１４）〜（１７）の何れか１つに記載の装置。
【０１６４】
（２０）第１のコンポーネントキャリアにおいて第１の周波数で第１のノード及び第２のノードの多地点協調（CoMP）伝送用のアップリンク伝送電力を制御する無線通信方法であって、第２のコンポーネントキャリアにおいて前記第１の周波数と異なる第２の周波数で前記第２のノードからのダウンリンク信号を受信するステップと、前記第２のコンポーネントキャリアにおいて前記第２の周波数で前記第２のノードからの前記ダウンリンク信号の受信に関連する第１のダウンリンク経路損失を確定するステップと、確定された第１のダウンリンク経路損失に基づき、前記第１のコンポーネントキャリアにおいて前記第１の周波数で前記CoMP伝送を行なう前記第２のノードに関連する第２のダウンリンク経路損失を推定するステップと、前記CoMP伝送用のアップリンク信号伝送電力を補償するように、推定された第２のダウンリンク経路損失に基づき、前記第１のコンポーネントキャリアにおいて前記第１の周波数で前記装置から前記第２のノードへ出力する第１のアップリンク信号の第１のアップリンク経路損失を推定するステップと、を備える。
【０１６５】
本発明に係るシステム及び方法では、明らかなように、各部分又は各ステップを分解及び／又は再結合することができる。この分解及び／又は再結合は、本発明の同等技術案とみなされるべきである。さらに、上記一連の処理を実行するステップは、自然に説明の通りに順次に実行されてもよいが、順次に実行されなくてもよい。あるステップは、並行又は互いに独立に実行されてもよい。
【０１６６】
以上のように図面を組み合わせて本発明の実施例を説明したが、上述のように説明された実施形態は本発明を説明するものに過ぎず、本発明を限定するものではない。当業者にとって、本発明の精神及び範囲から逸脱しない前提で上記実施形態を様々な補正及び変更することができる。よって、本発明の範囲は特許請求の範囲及びその同意義のみに限定される。
【手続補正２】
【補正対象書類名】特許請求の範囲
【補正対象項目名】全文
【補正方法】変更
【補正の内容】
【特許請求の範囲】
【請求項１】
第１のノード及び第２のノードを備える通信システムにおいて動作する通信装置であって、
キャリアアグリゲーションに基づき前記第１のノードと前記第２のノードとの通信を招くように配置される回路を備え、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することと、を含み、
前記通信は、前記回路を用いて、前記第２のノードに関連する前記アップリンクプライマリコンポーネントキャリアを介してアップリンク制御シグナリングを伝送することとを含む装置。
【請求項２】
前記第１のノード及び前記第２のノードは互いに共通ベースバンドである請求項１に記載の装置。
【請求項３】
前記通信は、前記アップリンクコンポーネントキャリアを上記のように設置する前に、前記ダウンリンクプライマリコンポーネントキャリアと前記アップリンクプライマリコンポーネントキャリアとの間の関連を解除する請求項１に記載の装置。
【請求項４】
前記第１のノードはマクロ基地局であり、前記第２のノードは低電力ノード（LPN）である請求項１に記載の装置。
【請求項５】
前記第１のノードは第１の周波数で動作し、前記第２のノードは前記第１の周波数よりも大きい第２の周波数で動作する請求項１に記載の装置。
【請求項６】
前記通信は、前記装置と前記第１のノードとの間の伝送を制御するように、前記回路を用いて、前記第２のノードに関連する前記アップリンクプライマリコンポーネントキャリアを介して前記アップリンク制御シグナリングを伝送することを含む請求項１に記載の装置。
【請求項７】
前記通信は、前記回路により、無線資源制御（RRC）シグナリング、メディアアクセス制御（MAC）シグナリング、又は物理層のシグナリングうちの１つを介して前記アップリンクプライマリコンポーネントキャリアに関する指定情報を受信することを含む請求項１に記載の装置。
【請求項８】
前記通信は、前記第２のノードに用いる複数のコンポーネントキャリアを集合することと、前記回路により、無線資源制御（RRC）シグナリング、メディアアクセス制御（MAC）シグナリング、又は物理層のシグナリングうちの１つを介して前記アップリンクプライマリコンポーネントキャリアの指定に関する情報を受信することとを含む請求項１に記載の装置。
【請求項９】
前記通信は、前記回路を用いて、前記第２のノードに関連する前記アップリンクプライマリコンポーネントキャリアを介して物理アップリンク共有チャネル（PUSCH）信号を送信することを含む請求項１に記載の装置。
【請求項１０】
前記通信は、前記回路を用いて、前記第２のノードに関連する前記アップリンクプライマリコンポーネントキャリアを介して全てのアップリンク制御シグナリングを送信することを含む請求項１に記載の装置。
【請求項１１】
無線通信方法であって、
プロセッサーを用いて、キャリアアグリゲーションに基づき前記第１のノードと前記第２のノードとの通信を行い、前記通信は、
前記第１のノードに関連するダウンリンクコンポーネントキャリアをダウンリンクプライマリコンポーネントキャリアとして設置することと、
前記第２のノードに関連するアップリンクコンポーネントキャリアを、物理アップリンク制御チャンネル（PUCCH）を伝送するアップリンクプライマリコンポーネントキャリアとして設置することとを含み、
前記通信は、前記第２のノードに関連する前記アップリンクプライマリコンポーネントキャリアを介してアップリンク制御シグナリングを伝送することを含む無線通信方法。
【請求項１２】
前記通信は、前記プロセッサーと前記第１のノードとの間の伝送を制御するように、前記第２のノードに関連する前記アップリンクプライマリコンポーネントキャリアを介してアップリンク制御シグナリングを送信することを含む請求項１１に記載の無線通信方法。
【請求項１３】
前記通信は、無線資源制御（RRC）シグナリング、メディアアクセス制御（MAC）シグナリング、又は物理層のシグナリングうちの１つを介して前記アップリンクプライマリコンポーネントキャリアに関する指定情報を受信することを特徴とする請求項１１に記載の無線通信方法。
【請求項１４】
第１のコンポーネントキャリアにおいて第１の周波数で第１のノード及び第２のノードの多地点協調（CoMP）伝送用のアップリンク伝送電力を制御する無線通信装置であって、
第２のコンポーネントキャリアにおいて前記第１の周波数と異なる第２の周波数で前記第２のノードからのダウンリンク信号を受信し、
前記第２のコンポーネントキャリアにおいて前記第２の周波数で前記第２のノードからの前記ダウンリンク信号の受信に関連する第１のダウンリンク経路損失を確定し、
確定された第１のダウンリンク経路損失に基づき、前記第１のコンポーネントキャリアにおいて前記第１の周波数で前記CoMP伝送を行う前記第２のノードに関連する第２のダウンリンク経路損失を推定し、
前記CoMP伝送用のアップリンク信号伝送電力を補償するように、推定された第２のダウンリンク経路損失に基づき、前記第１のコンポーネントキャリアにおいて前記第１の周波数で前記装置から前記第２のノードへ出力する第１のアップリンク信号の第１のアップリンク経路損失を推定するように配置される回路を備える装置。
【請求項１５】
前記アップリンク信号は物理アップリンク制御チャンネル（PUCCH）信号、物理アップリンク共有チャネル（PUSCH）信号及びサウンディング参照信号（SRS）うちの１つであることを特徴とする請求項１４に記載の装置。
【請求項１６】
前記回路は、前記第１のアップリンク経路損失に基づき、前記第１のコンポーネントキャリアにおいて前記第１の周波数で前記第２のノードへのCoMP伝送用のアップリンク信号伝送電力を補償するように配置される請求項１４に記載の装置。
【請求項１７】
前記回路は、
前記第１のコンポーネントキャリアにおいて前記第１の周波数で前記第１のノードからのダウンリンク信号の受信に関連する第３のダウンリンク経路損失を確定すること、及び
前記第３のダウンリンク経路損失に基づいて、前記第１のコンポーネントキャリアにおいて前記第１の周波数で前記装置から前記第１のノードへ出力する第２のアップリンク信号の第２のアップリンク経路損失を確定することに基づき、
第１のコンポーネントキャリアにおいて前記第１の周波数で前記第１のノードへのCoMP伝送用のアップリンク信号伝送電力を補償するように配置される請求項１６に記載の装置。
【請求項１８】
前記第１のノード及び前記第２のノードの前記CoMP伝送がCoMPシナリオ４に基づく場合、リニアに検出される前記第１のノード及び前記第２のノードのセル固有参照信号の参照信号受信電力を前記第２のノードに関連する受信電力に加算することにより、前記第１のノードに関連する受信電力を取得する請求項１４に記載の装置。
【請求項１９】
前記第１のノード及び前記第２のノードの前記CoMP伝送がCoMPシナリオ３に基づく場合、前記第２のノードに関連する受信電力からリニアに検出される前記第１のノード及び前記第２のノードのセル固有参照信号の参照信号受信電力を減算することにより、前記第１のノードに関連する受信電力を取得する請求項１４に記載の装置。
【請求項２０】
第１のコンポーネントキャリアにおいて第１の周波数で第１のノード及び第２のノードの多地点協調（CoMP）伝送用のアップリンク伝送電力を制御する無線通信方法であって、
第２のコンポーネントキャリアにおいて前記第１の周波数と異なる第２の周波数で前記第２のノードからのダウンリンク信号を受信するステップと、
前記第２のコンポーネントキャリアにおいて前記第２の周波数で前記第２のノードからの前記ダウンリンク信号の受信に関連する第１のダウンリンク経路損失を確定するステップと、
確定された第１のダウンリンク経路損失に基づき、前記第１のコンポーネントキャリアにおいて前記第１の周波数で前記CoMP伝送を行なう前記第２のノードに関連する第２のダウンリンク経路損失を推定するステップと、
前記CoMP伝送のアップリンク信号伝送電力を補償するように、推定された第２のダウンリンク経路損失に基づき、前記第１のコンポーネントキャリアにおいて前記第１の周波数で前記装置から前記第２のノードへ出力する第１のアップリンク信号の第１のアップリンク経路損失を推定するステップと、を備える無線通信方法。
【国際調査報告】
2016524404.tif 000072
2016524404.tif 000073